(57)【要約】  本発明の実施例はフィードバック応答情報の伝送方法、装置及びシステムを提供し、通信分野に関する。前記方法は、端末装置がアクセスネットワーク装置から送信された、第１情報フィールド及び第２情報フィールドを含むダウンリンク制御情報を受信し、第１情報フィールドはダウンリンク制御情報に対応するフィードバック応答情報のタイミング関係を示すことに用いられ、第２情報フィールドはダウンリンク割り当てインデックスを示すことに用いられ、第１情報フィールド及び第２情報フィールドに基づき、目標伝送ユニットにおいて伝送されるフィードバック応答情報の第１ビット数を決定することを含む。本発明の実施例において、端末装置がアクセスネットワーク装置の指示する第１情報フィールド及び第２情報フィールドに基づき、目標伝送ユニットにおいて伝送されるフィードバック応答情報の最大ビット数を決定することにより、端末装置が最大ビット数に基づき、１つの目標伝送ユニットにおいてアクセスネットワーク装置へ複数のフィードバック応答情報を同時にフィードバックすることができる。
2020530952.tif 000002
【特許請求の範囲】
【請求項１】
フィードバック応答情報の伝送方法であって、
端末装置がアクセスネットワーク装置から送信された、第１情報フィールド及び第２情報フィールドを含むダウンリンク制御情報を受信し、前記第１情報フィールドは前記ダウンリンク制御情報に対応するフィードバック応答情報のタイミング関係を示すことに用いられ、前記第２情報フィールドはダウンリンク割り当てインデックスを示すことに用いられることと、
前記端末装置が前記第１情報フィールド及び前記第２情報フィールドに基づき、目標伝送ユニットにおいて伝送されるフィードバック応答情報の第１ビット数を決定することと、
前記端末装置が前記第１ビット数に基づいて前記目標伝送ユニットにおいて前記フィードバック応答情報を伝送することと、を含むことを特徴とするフィードバック応答情報の伝送方法。
【請求項２】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項１に記載の方法。
【請求項３】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項１に記載の方法。
【請求項４】
前記端末装置が前記第１情報フィールド及び前記第２情報フィールドに基づき、目標伝送ユニットにおいて伝送されるフィードバック応答情報の第１ビット数を決定することは、
前記端末装置が第１ダウンリンク制御情報を受信した場合、Ｎ＝Ｃ＊（Ｋ＋１）又はＮ＝Ｃ＊Ｋという数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを含むことを特徴とする請求項１〜３のいずれか１項に記載の方法。
【請求項５】
前記端末装置が前記第１情報フィールド及び前記第２情報フィールドに基づき、目標伝送ユニットにおいて伝送されるフィードバック応答情報の第１ビット数を決定することは、
前記端末装置が、第１ダウンリンク制御情報を受信した場合、Ｎ＝Ｃ＊（Ｋ−Ｔ）という数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを含むことを特徴とする請求項１〜３のいずれか１項に記載の方法。
【請求項６】
前記端末装置が前記第１情報フィールド及び前記第２情報フィールドに基づき、目標伝送ユニットにおいて伝送されるフィードバック応答情報の第１ビット数を決定することは、
前記端末装置が、第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定し、
前記第１ダウンリンク制御情報は、前記第２情報フィールドの対応する数値がプリセット値であるダウンリンク制御情報であり、前記第２ダウンリンク制御情報は前記第１ダウンリンク制御情報以外のその他のダウンリンク制御情報であることを含むことを特徴とする請求項１〜３のいずれか１項に記載の方法。
【請求項７】
前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することは、
前記端末装置が前記第１ダウンリンク制御情報を受信できていないが、前記第２ダウンリンク制御情報を受信した場合、Ｎ＝Ｃ＊（Ｋ′＋Ｐ）又はＮ＝Ｃ＊（Ｋ′＋Ｐ−１）という数式で前記目標伝送ユニットにおいて伝送される前記フィードバック応答情報の第１ビット数を計算し、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、Ｃ、Ｋ′及びＰはいずれも正の整数であることを含むことを特徴とする請求項６に記載の方法。
【請求項８】
前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することは、
前記端末装置が前記第１ダウンリンク制御情報を受信できていないが、前記第２ダウンリンク制御情報を受信した場合、Ｎ＝Ｃ＊（Ｋ′＋Ｐ−Ｔ）という数式で前記目標伝送ユニットにおいて伝送される前記フィードバック応答情報の第１ビット数を計算し、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、前記Ｔは第２プリセット数値であり、Ｃ、Ｋ′、Ｐ及びＴはいずれも正の整数であることを含むことを特徴とする請求項６に記載の方法。
【請求項９】
前記第１ダウンリンク制御情報は、前記第２情報フィールドの対応する数値が１であるダウンリンク制御情報であることを特徴とする請求項４〜８のいずれか１項に記載の方法。
【請求項１０】
前記第２プリセット数値は前記フィードバック応答情報を伝送する最小遅延を示すことに用いられることを特徴とする請求項５又は８に記載の方法。
【請求項１１】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項４又は５又は７又は８に記載の方法。
【請求項１２】
前記第２プリセット数値は、
第２定数、又は
通信プロトコルに予め定義された数値、又は、
前記アクセスネットワーク装置に予め設定された数値を含むことを特徴とする請求項５又は８又は１０に記載の方法。
【請求項１３】
フィードバック応答情報の伝送方法であって、
アクセスネットワーク装置が第１情報フィールド及び第２情報フィールドを含むダウンリンク制御情報を端末装置に送信し、前記第１情報フィールドは前記ダウンリンク制御情報に対応するフィードバック応答情報のタイミング関係を示すことに用いられ、前記第２情報フィールドはダウンリンク割り当てインデックスを示すことに用いられることと、
前記アクセスネットワーク装置が前記第１情報フィールド及び前記第２情報フィールドに基づき、目標伝送ユニットにおいて伝送されるフィードバック応答情報の第１ビット数を決定することと、
前記アクセスネットワーク装置が前記第１ビット数に基づき、前記端末装置が前記目標伝送ユニットにおいて伝送した前記フィードバック応答情報を受信することと、を含むことを特徴とするフィードバック応答情報の伝送方法。
【請求項１４】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項１３に記載の方法。
【請求項１５】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項１３に記載の方法。
【請求項１６】
前記アクセスネットワーク装置が前記第１情報フィールド及び前記第２情報フィールドに基づき、目標伝送ユニットにおいて伝送されるフィードバック応答情報の第１ビット数を決定することは、
前記アクセスネットワーク装置が前記第１情報フィールド及び前記第２情報フィールドに基づき、Ｎ＝Ｃ＊（Ｋ＋１）又はＮ＝Ｃ＊Ｋという数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを含むことを特徴とする請求項１３〜１５のいずれか１項に記載の方法。
【請求項１７】
前記アクセスネットワーク装置が前記第１情報フィールド及び前記第２情報フィールドに基づき、目標伝送ユニットにおいて伝送されるフィードバック応答情報の第１ビット数を決定することは、
前記アクセスネットワーク装置が前記第１情報フィールド及び前記第２情報フィールドに基づき、Ｎ＝Ｃ＊（Ｋ−Ｔ）という数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを含むことを特徴とする請求項１３〜１５のいずれか１項に記載の方法。
【請求項１８】
前記第１ダウンリンク制御情報は、前記第２情報フィールドの対応する数値が１であるダウンリンク制御情報であることを特徴とする請求項１６又は１７に記載の方法。
【請求項１９】
前記第２プリセット数値は前記フィードバック応答情報を伝送する最小遅延を示すことに用いられることを特徴とする請求項１７に記載の方法。
【請求項２０】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項１６又は１７に記載の方法。
【請求項２１】
前記第２プリセット数値は、
第２定数、又は
通信プロトコルに予め定義された数値、又は、
前記アクセスネットワーク装置に予め設定された数値を含むことを特徴とする請求項１７又は１９に記載の方法。
【請求項２２】
フィードバック応答情報の伝送装置であって、
アクセスネットワーク装置から送信された、第１情報フィールド及び第２情報フィールドを含むダウンリンク制御情報を受信することに用いられ、前記第１情報フィールドは前記ダウンリンク制御情報に対応するフィードバック応答情報のタイミング関係を示すことに用いられ、前記第２情報フィールドはダウンリンク割り当てインデックスを示すことに用いられる受信モジュールと、
前記第１情報フィールド及び前記第２情報フィールドに基づき、目標伝送ユニットにおいて伝送されるフィードバック応答情報の第１ビット数を決定するための決定モジュールと、
前記第１ビット数に基づいて前記目標伝送ユニットにおいて前記フィードバック応答情報を伝送するための伝送モジュールと、を備えることを特徴とするフィードバック応答情報の伝送装置。
【請求項２３】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項２２に記載の装置。
【請求項２４】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項２２に記載の装置。
【請求項２５】
前記決定モジュールは、更に、前記端末装置が第１ダウンリンク制御情報を受信した場合、Ｎ＝Ｃ＊（Ｋ＋１）又はＮ＝Ｃ＊Ｋという数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを特徴とする請求項２２〜２４のいずれか１項に記載の装置。
【請求項２６】
前記決定モジュールは、更に、前記端末装置が第１ダウンリンク制御情報を受信した場合、Ｎ＝Ｃ＊（Ｋ−Ｔ）という数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを特徴とする請求項２２〜２４のいずれか１項に記載の装置。
【請求項２７】
前記決定モジュールは、更に、前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することに用いられ、
前記第１ダウンリンク制御情報は、前記第２情報フィールドの対応する数値がプリセット値であるダウンリンク制御情報であり、前記第２ダウンリンク制御情報は前記第１ダウンリンク制御情報以外のその他のダウンリンク制御情報であることを特徴とする請求項２２〜２４のいずれか１項に記載の装置。
【請求項２８】
前記決定モジュールは、更に、前記端末装置が前記第１ダウンリンク制御情報を受信できていないが、前記第２ダウンリンク制御情報を受信した場合、Ｎ＝Ｃ＊（Ｋ′＋Ｐ）又はＮ＝Ｃ＊（Ｋ′＋Ｐ−１）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、Ｃ、Ｋ′及びＰはいずれも正の整数であることを特徴とする請求項２７に記載の装置。
【請求項２９】
前記決定モジュールは、更に、前記端末装置が前記第１ダウンリンク制御情報を受信できていないが、前記第２ダウンリンク制御情報を受信した場合、Ｎ＝Ｃ＊（Ｋ′＋Ｐ−Ｔ）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、前記Ｔは第２プリセット数値であり、Ｃ、Ｋ′、Ｐ及びＴはいずれも正の整数であることを特徴とする請求項２７に記載の装置。
【請求項３０】
前記第１ダウンリンク制御情報は前記第２情報フィールドの対応する数値が１であるダウンリンク制御情報であることを特徴とする請求項２５〜２９のいずれか１項に記載の装置。
【請求項３１】
前記第２プリセット数値は前記フィードバック応答情報を伝送する最小遅延を示すことに用いられることを特徴とする請求項２６又は２９に記載の装置。
【請求項３２】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項２５又は２６又は２８又は２９に記載の装置。
【請求項３３】
前記第２プリセット数値は、
第２定数、又は
通信プロトコルに予め定義された数値、又は、
前記アクセスネットワーク装置に予め設定された数値を含むことを特徴とする請求項２６又は２９又は３１に記載の装置。
【請求項３４】
フィードバック応答情報の伝送装置であって、
第１情報フィールド及び第２情報フィールドを含むダウンリンク制御情報を端末装置に送信することに用いられ、前記第１情報フィールドは前記ダウンリンク制御情報に対応するフィードバック応答情報のタイミング関係を示すことに用いられ、前記第２情報フィールドはダウンリンク割り当てインデックスを示すことに用いられる送信モジュールと、
前記第１情報フィールド及び前記第２情報フィールドに基づき、目標伝送ユニットにおいて伝送されるフィードバック応答情報の第１ビット数を決定するための決定モジュールと、
前記第１ビット数に基づいて前記端末装置が前記目標伝送ユニットにおいて伝送した前記フィードバック応答情報を受信するための受信モジュールと、を備えることを特徴とするフィードバック応答情報の伝送装置。
【請求項３５】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項３４に記載の装置。
【請求項３６】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項３４に記載の装置。
【請求項３７】
前記決定モジュールは、更に、前記第１情報フィールド及び前記第２情報フィールドに基づき、Ｎ＝Ｃ＊（Ｋ＋１）又はＮ＝Ｃ＊Ｋという数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを特徴とする請求項３４〜３６のいずれか１項に記載の装置。
【請求項３８】
前記決定モジュールは、更に、前記第１情報フィールド及び前記第２情報フィールドに基づき、Ｎ＝Ｃ＊（Ｋ−Ｔ）という数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを特徴とする請求項３４〜３６のいずれか１項に記載の装置。
【請求項３９】
前記第１ダウンリンク制御情報は前記第２情報フィールドの対応する数値が１であるダウンリンク制御情報であることを特徴とする請求項３７又は３８に記載の装置。
【請求項４０】
前記第２プリセット数値は前記フィードバック応答情報を伝送する最小遅延を示すことに用いられることを特徴とする請求項３８に記載の装置。
【請求項４１】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項３７又は３８に記載の装置。
【請求項４２】
前記第２プリセット数値は、
第２定数、又は
通信プロトコルに予め定義された数値、又は、
前記アクセスネットワーク装置に予め設定された数値を含むことを特徴とする請求項３８又は４０に記載の装置。
【請求項４３】
端末装置であって、
プロセッサ、受信機及び送信機を備え、
前記受信機は、アクセスネットワーク装置から送信された、第１情報フィールド及び第２情報フィールドを含むダウンリンク制御情報を受信することに用いられ、前記第１情報フィールドは前記ダウンリンク制御情報に対応するフィードバック応答情報のタイミング関係を示すことに用いられ、前記第２情報フィールドはダウンリンク割り当てインデックスを示すことに用いられ、
前記プロセッサは、前記第１情報フィールド及び前記第２情報フィールドに基づき、目標伝送ユニットにおいて伝送されるフィードバック応答情報の第１ビット数を決定することに用いられ、
前記送信機は、前記第１ビット数に基づいて前記目標伝送ユニットにおいて前記フィードバック応答情報を伝送することに用いられることを特徴とする端末装置。
【請求項４４】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項４３に記載の端末装置。
【請求項４５】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項４３に記載の端末装置。
【請求項４６】
前記プロセッサは、更に、前記端末装置が第１ダウンリンク制御情報を受信した場合、Ｎ＝Ｃ＊（Ｋ＋１）又はＮ＝Ｃ＊Ｋという数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを特徴とする請求項４３〜４５のいずれか１項に記載の端末装置。
【請求項４７】
前記プロセッサは、更に、前記端末装置が第１ダウンリンク制御情報を受信した場合、Ｎ＝Ｃ＊（Ｋ−Ｔ）という数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを特徴とする請求項４３〜４５のいずれか１項に記載の端末装置。
【請求項４８】
前記プロセッサは、更に、前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することに用いられ、
前記第１ダウンリンク制御情報は、前記第２情報フィールドの対応する数値がプリセット値であるダウンリンク制御情報であり、前記第２ダウンリンク制御情報は前記第１ダウンリンク制御情報以外のその他のダウンリンク制御情報であることを特徴とする請求項４３〜４５のいずれか１項に記載の端末装置。
【請求項４９】
前記プロセッサは、更に、前記端末装置が前記第１ダウンリンク制御情報を受信できていないが、前記第２ダウンリンク制御情報を受信した場合、Ｎ＝Ｃ＊（Ｋ′＋Ｐ）又はＮ＝Ｃ＊（Ｋ′＋Ｐ−１）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、Ｃ、Ｋ′及びＰはいずれも正の整数であることを特徴とする請求項４８に記載の端末装置。
【請求項５０】
前記プロセッサは、更に、前記端末装置が前記第１ダウンリンク制御情報を受信できていないが、前記第２ダウンリンク制御情報を受信した場合、Ｎ＝Ｃ＊（Ｋ′＋Ｐ−Ｔ）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、前記Ｔは第２プリセット数値であり、Ｃ、Ｋ′、Ｐ及びＴはいずれも正の整数であることを特徴とする請求項４８に記載の端末装置。
【請求項５１】
前記第１ダウンリンク制御情報は前記第２情報フィールドの対応する数値が１であるダウンリンク制御情報であることを特徴とする請求項４６〜５０のいずれか１項に記載の端末装置。
【請求項５２】
前記第２プリセット数値は前記フィードバック応答情報を伝送する最小遅延を示すことに用いられることを特徴とする請求項４７又は５０に記載の端末装置。
【請求項５３】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項４６又は４７又は４９又は５０に記載の端末装置。
【請求項５４】
前記第２プリセット数値は、
第２定数、又は
通信プロトコルに予め定義された数値、又は、
前記アクセスネットワーク装置に予め設定された数値を含むことを特徴とする請求項４７又は５０又は５２に記載の端末装置。
【請求項５５】
アクセスネットワーク装置であって、
プロセッサ、送信機及び受信機を備え、
前記送信機は、第１情報フィールド及び第２情報フィールドを含むダウンリンク制御情報を端末装置に送信することに用いられ、前記第１情報フィールドは前記ダウンリンク制御情報に対応するフィードバック応答情報のタイミング関係を示すことに用いられ、前記第２情報フィールドはダウンリンク割り当てインデックスを示すことに用いられ、
前記プロセッサは、前記第１情報フィールド及び前記第２情報フィールドに基づき、目標伝送ユニットにおいて伝送されるフィードバック応答情報の第１ビット数を決定することに用いられ、
前記受信機は、前記第１ビット数に基づいて前記端末装置が前記目標伝送ユニットにおいて伝送した前記フィードバック応答情報を受信することに用いられることを特徴とするアクセスネットワーク装置。
【請求項５６】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項５５に記載のアクセスネットワーク装置。
【請求項５７】
前記第１ビット数は、
１つのキャリアに対応するフィードバック応答情報の最大ビット数、又は、
すべてのコンポーネントキャリアに対応するフィードバック応答情報の最大ビット数を含むことを特徴とする請求項５５に記載のアクセスネットワーク装置。
【請求項５８】
前記プロセッサは、更に、前記第１情報フィールド及び前記第２情報フィールドに基づき、Ｎ＝Ｃ＊（Ｋ＋１）又はＮ＝Ｃ＊Ｋという数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であることを特徴とする請求項５５〜５７のいずれか１項に記載のアクセスネットワーク装置。
【請求項５９】
前記プロセッサは、更に、前記第１情報フィールド及び前記第２情報フィールドに基づき、Ｎ＝Ｃ＊（Ｋ−Ｔ）という数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいことを特徴とする請求項５５〜５７のいずれか１項に記載のアクセスネットワーク装置。
【請求項６０】
前記第１ダウンリンク制御情報は前記第２情報フィールドの対応する数値が１であるダウンリンク制御情報であることを特徴とする請求項５８又は５９に記載のアクセスネットワーク装置。
【請求項６１】
前記第２プリセット数値は前記フィードバック応答情報を伝送する最小遅延を示すことに用いられることを特徴とする請求項３８に記載のアクセスネットワーク装置。
【請求項６２】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項５８又は５９に記載のアクセスネットワーク装置。
【請求項６３】
前記第２プリセット数値は、
第２定数、又は
通信プロトコルに予め定義された数値、又は、
前記アクセスネットワーク装置に予め設定された数値を含むことを特徴とする請求項５９又は６１に記載のアクセスネットワーク装置。
【請求項６４】
フィードバック応答情報の伝送システムであって、
端末装置及びアクセスネットワーク装置を備え、
前記端末装置は請求項２２〜３３のいずれか１項に記載の装置であり、
前記アクセスネットワーク装置は請求項３４〜４２のいずれか１項に記載の装置であることを特徴とするフィードバック応答情報の伝送システム。
【請求項６５】
フィードバック応答情報の伝送システムであって、
端末装置及びアクセスネットワーク装置を備え、
前記端末装置は請求項４３〜５４のいずれか１項に記載の端末装置であり、
前記アクセスネットワーク装置は請求項５５〜６３のいずれか１項に記載のアクセスネットワーク装置であることを特徴とするフィードバック応答情報の伝送システム。
【発明の詳細な説明】
【技術分野】
【０００１】
本願の実施例は通信分野に関し、特にフィードバック応答情報の伝送方法、装置及びシステムに関する。
【背景技術】
【０００２】
ハイブリッド自動再送要求（ＨＡＲＱ、Ｈｙｂｒｉｄ  Ａｕｔｏ  Ｒｅｐｅａｔ  Ｒｅｑｕｅｓｔ）メカニズムにおいて、フィードバック応答情報は端末装置がアクセスネットワーク装置から送信されたダウンリンクデータを受信した後、アクセスネットワーク装置へフィードバックした情報である。
【０００３】
新無線インターフェース（ＮＲ、Ｎｅｗ  Ｒａｄｉｏ）システムにおいて、アクセスネットワーク装置は端末装置がフィードバック応答情報を送信するタイミング関係（ＨＡＲＱ  ｔｉｍｉｎｇ）を動的に指示し、端末装置がアクセスネットワーク装置の指示するタイミング関係に基づいてフィードバック応答情報を伝送する過程は、アクセスネットワーク装置がｎ番目のスロットにおいて物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）をスケジューリングしてダウンリンクデータを伝送し、且つ該ＰＤＳＣＨに対応するダウンリンクグラント（ＤＬ  ｇｒａｎｔ、Ｄｏｗｎｌｉｎｋ  Ｇｒａｎｔ）においてタイミング関係に対応する数値ｋを示す場合、端末装置が該タイミング関係に対応する数値ｋに基づき、第ｎ＋ｋ番目のスロットにおいて該ＰＤＳＣＨに対応するフィードバック応答情報を伝送するステップを含む。
【０００４】
しかしながら、上記方法は端末装置が１つのスロットにおいて１つのＰＤＳＣＨに対応するフィードバック応答情報を伝送する場合のみに適用できる。端末装置が１つのスロットにおいてアクセスネットワーク装置へ複数のフィードバック応答情報を同時にフィードバックする必要がある場合、端末装置がどのように１つのスロットにおいて複数のフィードバック応答情報を多重伝送するかについては、現状まだ解決策がない。
【発明の概要】
【発明が解決しようとする課題】
【０００５】
関連技術における端末装置がどのように１つのスロットにおいて複数のフィードバック応答情報を多重伝送するかの課題を解決するために、本発明の実施例はフィードバック応答情報の伝送方法、装置及びシステムを提供する。前記技術案は以下のとおりである。
【課題を解決するための手段】
【０００６】
本発明の実施例の第１態様によれば、フィードバック応答情報の伝送方法を提供し、該方法は、
端末装置がアクセスネットワーク装置から送信された、第１情報フィールド及び第２情報フィールドを含むダウンリンク制御情報を受信し、第１情報フィールドはダウンリンク制御情報に対応するフィードバック応答情報のタイミング関係を示すことに用いられ、第２情報フィールドはダウンリンク割り当てインデックスを示すことに用いられることと、
端末装置が第１情報フィールド及び第２情報フィールドに基づき、目標伝送ユニットにおいて伝送されるフィードバック応答情報の第１ビット数を決定することと、
端末装置が第１ビット数に基づいて目標伝送ユニットにおいてフィードバック応答情報を伝送することと、を含む。
【０００７】
１つの選択可能な実現方式では、ダウンリンク制御情報に対応するフィードバック応答情報のタイミング関係は、
ダウンリンク制御情報のスケジューリングしたダウンリンクデータとダウンリンクデータに対応するフィードバック応答情報との時間間隔、又は、
ダウンリンク制御情報とダウンリンク制御情報に対応するフィードバック応答情報との時間間隔を含む。
【０００８】
１つの選択可能な実現方式では、第１ビット数は、
１つのキャリアに対応するフィードバック応答情報の最大ビット数、又は、
すべてのコンポーネントキャリアに対応するフィードバック応答情報の最大ビット数を含む。
【０００９】
１つの選択可能な実現方式では、端末装置が第１情報フィールド及び第２情報フィールドに基づき、目標伝送ユニットにおいて伝送されるフィードバック応答情報の第１ビット数を決定することは、
端末装置が第１ダウンリンク制御情報を受信した場合、Ｎ＝Ｃ＊（Ｋ＋１）又はＮ＝Ｃ＊Ｋという数式で目標伝送ユニットにおいて伝送されるフィードバック応答情報の第１ビット数を計算し、
第１ダウンリンク制御情報は第２情報フィールドの対応する数値がプリセット値であるダウンリンク制御情報であり、Ｃは第１プリセット数値であり、Ｋは第１ダウンリンク制御情報における第１情報フィールドの対応する数値であり、ＣとＫはいずれも正の整数であることを含む。
【００１０】
１つの選択可能な実現方式では、端末装置が第１情報フィールド及び第２情報フィールドに基づき、目標伝送ユニットにおいて伝送されるフィードバック応答情報の第１ビット数を決定することは、
端末装置が第１ダウンリンク制御情報を受信した場合、Ｎ＝Ｃ＊（Ｋ−Ｔ）という数式で目標伝送ユニットにおいて伝送されるフィードバック応答情報の第１ビット数を計算し、
第１ダウンリンク制御情報は第２情報フィールドの対応する数値がプリセット値であるダウンリンク制御情報であり、Ｃは第１プリセット数値であり、Ｋは第１ダウンリンク制御情報における第１情報フィールドの対応する数値であり、Ｔは第２プリセット数値であり、Ｃ、Ｔ及びＫはいずれも正の整数であって、且つＴはＫより小さいことを含む。
【００１１】
１つの選択可能な実現方式では、端末装置が第１情報フィールド及び第２情報フィールドに基づき、目標伝送ユニットにおいて伝送されるフィードバック応答情報の第１ビット数を決定することは、
端末装置が第１ダウンリンク制御情報を受信できていないが、第２ダウンリンク制御情報を受信した場合、第２ダウンリンク制御情報の第１情報フィールド及び第２情報フィールドに基づき、目標伝送ユニットにおいて伝送されるフィードバック応答情報の第１ビット数を決定し、
第１ダウンリンク制御情報は第２情報フィールドの対応する数値がプリセット値であるダウンリンク制御情報であり、第２ダウンリンク制御情報は第１ダウンリンク制御情報以外のその他のダウンリンク制御情報であることを含む。
【００１２】
１つの実現可能な実現方式では、端末装置が第１ダウンリンク制御情報を受信できていないが、第２ダウンリンク制御情報を受信した場合、第２ダウンリンク制御情報の第１情報フィールド及び第２情報フィールドに基づき、目標伝送ユニットにおいて伝送されるフィードバック応答情報の第１ビット数を決定することは、
端末装置が第１ダウンリンク制御情報を受信できていないが、第２ダウンリンク制御情報を受信した場合、Ｎ＝Ｃ＊（Ｋ′＋Ｐ）又はＮ＝Ｃ＊（Ｋ′＋Ｐ−１）という数式で目標伝送ユニットにおいて伝送されるフィードバック応答情報の第１ビット数を計算し、
Ｃは第１プリセット数値であり、Ｋ′は第２ダウンリンク制御情報における第１情報フィールドの対応する数値であり、Ｐは第２ダウンリンク制御情報における第２情報フィールドの対応する数値であり、Ｃ、Ｋ′及びＰはいずれも正の整数であることを含む。
【００１３】
１つの選択可能な実現方式では、端末装置が第１ダウンリンク制御情報を受信できていないが、第２ダウンリンク制御情報を受信した場合、第２ダウンリンク制御情報の第１情報フィールド及び第２情報フィールドに基づき、目標伝送ユニットにおいて伝送されるフィードバック応答情報の第１ビット数を決定することは、
端末装置が第１ダウンリンク制御情報を受信できていないが、第２ダウンリンク制御情報を受信した場合、Ｎ＝Ｃ＊（Ｋ′＋Ｐ−Ｔ）という数式で目標伝送ユニットにおいて伝送されるフィードバック応答情報の第１ビット数を計算し、
Ｃは第１プリセット数値であり、Ｋ′は第２ダウンリンク制御情報における第１情報フィールドの対応する数値であり、Ｐは第２ダウンリンク制御情報における第２情報フィールドの対応する数値であり、Ｔは第２プリセット数値であり、Ｃ、Ｋ′、Ｐ及びＴはいずれも正の整数であることを含む。
【００１４】
１つの選択可能な実現方式では、第１ダウンリンク制御情報は第２情報フィールドの対応する数値が１であるダウンリンク制御情報である。
【００１５】
１つの選択可能な実現方式では、第２プリセット数値はフィードバック応答情報を伝送する最小遅延を示すことに用いられる。
【００１６】
１つの選択可能な実現方式では、第１プリセット数値は、
第１定数、又は、
アクセスネットワーク装置に予め設定された数値、又は、
最大伝送ブロックの数、又は、
最大伝送ブロックの数と符号化ブロック群の数との積、又は、
コンポーネントキャリアの数を含む。
【００１７】
１つの選択可能な実現方式では、第２プリセット数値は、
第２定数、又は
通信プロトコルに予め定義された数値、又は、
アクセスネットワーク装置に予め設定された数値を含む。
【００１８】
本発明の実施例の第２態様によれば、フィードバック応答情報の伝送方法を提供し、該方法は、
アクセスネットワーク装置が第１情報フィールド及び第２情報フィールドを含むダウンリンク制御情報を端末装置に送信し、第１情報フィールドはダウンリンク制御情報に対応するフィードバック応答情報のタイミング関係を示すことに用いられ、第２情報フィールドはダウンリンク割り当てインデックスを示すことに用いられることと、
アクセスネットワーク装置が第１情報フィールド及び第２情報フィールドに基づき、目標伝送ユニットにおいて伝送されるフィードバック応答情報の第１ビット数を決定することと、
アクセスネットワーク装置が、第１ビット数に基づき、端末装置が目標伝送ユニットにおいて伝送したフィードバック応答情報を受信することと、を含む。
【００１９】
１つの選択可能な実現方式では、ダウンリンク制御情報に対応するフィードバック応答情報のタイミング関係は、
ダウンリンク制御情報のスケジューリングしたダウンリンクデータとダウンリンクデータに対応するフィードバック応答情報との時間間隔、又は、
ダウンリンク制御情報とダウンリンク制御情報に対応するフィードバック応答情報との時間間隔を含む。
【００２０】
１つの選択可能な実現方式では、第１ビット数は、
１つのキャリアに対応するフィードバック応答情報の最大ビット数、又は、
すべてのコンポーネントキャリアに対応するフィードバック応答情報の最大ビット数を含む。
【００２１】
１つの選択可能な実現方式では、アクセスネットワーク装置が第１情報フィールド及び第２情報フィールドに基づき、目標伝送ユニットにおいて伝送されるフィードバック応答情報の第１ビット数を決定することは、
アクセスネットワーク装置が第１情報フィールド及び第２情報フィールドに基づき、Ｎ＝Ｃ＊（Ｋ＋１）又はＮ＝Ｃ＊Ｋという数式で目標伝送ユニットにおいて伝送されるフィードバック応答情報の第１ビット数を計算し、
第１ダウンリンク制御情報は第２情報フィールドの対応する数値がプリセット値であるダウンリンク制御情報であり、Ｃは第１プリセット数値であり、Ｋは第１ダウンリンク制御情報における第１情報フィールドの対応する数値であり、ＣとＫはいずれも正の整数であることを含む。
【００２２】
１つの選択可能な実現方式では、アクセスネットワーク装置が第１情報フィールド及び第２情報フィールドに基づき、目標伝送ユニットにおいて伝送されるフィードバック応答情報の第１ビット数を決定することは、
アクセスネットワーク装置が第１情報フィールド及び第２情報フィールドに基づき、Ｎ＝Ｃ＊（Ｋ−Ｔ）という数式で目標伝送ユニットにおいて伝送されるフィードバック応答情報の第１ビット数を計算し、
第１ダウンリンク制御情報は第２情報フィールドの対応する数値がプリセット値であるダウンリンク制御情報であり、Ｃは第１プリセット数値であり、Ｋは第１ダウンリンク制御情報における第１情報フィールドの対応する数値であり、Ｔは第２プリセット数値であり、Ｃ、Ｔ及びＫはいずれも正の整数であって、ＴはＫより小さいことを含む。
【００２３】
１つの選択可能な実現方式では、第１ダウンリンク制御情報は第２情報フィールドの対応する数値が１であるダウンリンク制御情報である。
【００２４】
１つの選択可能な実現方式では、第２プリセット数値はフィードバック応答情報を伝送する最小遅延を示すことに用いられる。
【００２５】
１つの選択可能な実現方式では、第１プリセット数値は、
第１定数、又は、
アクセスネットワーク装置に予め設定された数値、又は、
最大伝送ブロックの数、又は、
最大伝送ブロックの数と符号化ブロック群の数との積、又は、
コンポーネントキャリアの数を含む。
【００２６】
可能な実現方式では、第２プリセット数値は、
第２定数、又は
通信プロトコルに予め定義された数値、又は、
アクセスネットワーク装置に予め設定された数値を含む。
【００２７】
本発明の実施例の第３態様によれば、フィードバック応答情報の伝送装置を提供し、該装置は少なくとも１つのモジュールを備え、該少なくとも１つのモジュールは上記第１態様又は第１態様におけるいずれか１つの選択可能な実現方式に係るフィードバック応答情報の伝送方法を実現することに用いられる。
【００２８】
本発明の実施例の第４態様によれば、フィードバック応答情報の伝送装置を提供し、該装置は少なくとも１つのモジュールを備え、該少なくとも１つのモジュールは上記第２態様又は第２態様におけるいずれか１つの選択可能な実現方式に係るフィードバック応答情報の伝送方法を実現することに用いられる。
【００２９】
本発明の実施例の第５態様によれば、端末装置を提供し、該端末装置はプロセッサ、メモリ、送信機及び受信機を備え、
メモリは１つ又は１つ以上の命令を記憶することに用いられ、該命令はプロセッサにより実行されるように指示され、
受信機は、アクセスネットワーク装置から送信された、第１情報フィールド及び第２情報フィールドを含むダウンリンク制御情報を受信することに用いられ、第１情報フィールドはダウンリンク制御情報に対応するフィードバック応答情報のタイミング関係を示すことに用いられ、第２情報フィールドはダウンリンク割り当てインデックスを示すことに用いられ、
プロセッサは、第１情報フィールド及び第２情報フィールドに基づき、目標伝送ユニットにおいて伝送されるフィードバック応答情報の第１ビット数を決定することに用いられ、
送信機は、第１ビット数に基づいて目標伝送ユニットにおいてフィードバック応答情報を伝送することに用いられる。
【００３０】
本発明の実施例の第６態様によれば、アクセスネットワーク装置を提供し、該アクセスネットワーク装置はプロセッサ、メモリ、送信機及び受信機を備え、
メモリは１つ又は１つ以上の命令を記憶することに用いられ、該命令はプロセッサにより実行されるように指示され、
送信機は、第１情報フィールド及び第２情報フィールドを含むダウンリンク制御情報を端末装置に送信することに用いられ、第１情報フィールドはダウンリンク制御情報に対応するフィードバック応答情報のタイミング関係を示すことに用いられ、第２情報フィールドはダウンリンク割り当てインデックスを示すことに用いられ、
プロセッサは、第１情報フィールド及び第２情報フィールドに基づき、目標伝送ユニットにおいて伝送されるフィードバック応答情報の第１ビット数を決定することに用いられ、
受信機は、第１ビット数に基づいて端末装置が目標伝送ユニットにおいて伝送したフィードバック応答情報を受信することに用いられる。
【００３１】
本発明の実施例の第７態様によれば、コンピュータ可読媒体を提供し、前記コンピュータ可読媒体に１つ又は１つ以上の命令が記憶され、前記命令はプロセッサによりロード・実行されることにより、上記第１態様又は第１態様におけるいずれか１つの選択可能な実現方式に係るフィードバック応答情報の伝送方法を実現する。
【００３２】
本発明の実施例の第８態様によれば、コンピュータ可読媒体を提供し、前記コンピュータ可読媒体に１つ又は１つ以上の命令が記憶され、前記命令はプロセッサによりロード・実行されることにより、上記第２態様又は第２態様におけるいずれか１つの選択可能な実現方式に係るフィードバック応答情報の伝送方法を実現する。
【００３３】
本発明の実施例の第９態様によれば、フィードバック応答情報の伝送システムを提供し、前記フィードバック応答情報の伝送システムは端末装置及びアクセスネットワーク装置を備え、前記端末装置は上記第３態様又は第３態様におけるいずれか１つの選択可能な実現方式に係るアップリンク制御情報の伝送装置を含み、前記アクセスネットワーク装置は上記第４態様又は第４態様におけるいずれか１つの可能な実現方式に係るアップリンク制御情報の伝送装置を含む。
【００３４】
本発明の実施例の第１０態様によれば、フィードバック応答情報の伝送システムを提供し、前記フィードバック応答情報の伝送システムは端末装置及びアクセスネットワーク装置を備え、前記端末装置は上記第５態様又は第５態様におけるいずれか１つの選択可能な実現方式に係る端末装置であり、前記アクセスネットワーク装置は上記第６態様又は第６態様におけるいずれか１つの選択可能な実現方式に係るアクセスネットワーク装置である。
【発明の効果】
【００３５】
本発明の実施例の技術案は以下の有益な効果を有する。
【００３６】
端末装置がアクセスネットワーク装置から送信された、第１情報フィールド及び第２情報フィールドを含むダウンリンク制御情報を受信し、第１情報フィールドはダウンリンク制御情報に対応するフィードバック応答情報のタイミング関係を示すことに用いられ、第２情報フィールドはダウンリンク割り当てインデックスを示すことに用いられることにより、端末装置は第１情報フィールド及び第２情報フィールドに基づいて目標伝送ユニットにおいて伝送されるフィードバック応答情報の最大ビット数を決定することができ、それによって、端末装置は最大ビット数に基づき、１つの目標伝送ユニットにおいてアクセスネットワーク装置へ複数のフィードバック応答情報を同時にフィードバックすることができる。
【図面の簡単な説明】
【００３７】
本発明の実施例の技術案をより明確に説明するために、以下に実施例の記述において使用必要な図面について簡単に説明するが、明らかに、以下に記載する図面は単に本発明の実施例の一部であり、当業者であれば、創造的な労力を要することなく、これらの図面に基づいて他の図面に想到しうる。
【００３８】
【図１】図１は本発明の１つ例示的な実施例に係る移動通信システムの構造模式図である。
【図２】図２は本発明の１つ例示的な実施例に係るフィードバック応答情報の伝送方法のフローチャートである。
【図３】図３は本発明のまた１つ例示的な実施例に係るフィードバック応答情報の伝送方法のフローチャートである。
【図４】図４は本発明の１つ例示的な実施例に係る端末装置の受信したダウンリンク制御情報の模式図である。
【図５】図５は本発明のまた１つ例示的な実施例に係る端末装置の受信したダウンリンク制御情報の模式図である。
【図６】図６は本発明のまた１つ例示的な実施例に係る端末装置の受信したダウンリンク制御情報の模式図である。
【図７】図７は本発明のまた１つ例示的な実施例に係る端末装置の受信したダウンリンク制御情報の模式図である。
【図８】図８は本発明の１つ例示的な実施例に係るフィードバック応答情報の伝送装置の構造模式図である。
【図９】図９は本発明のまた１つ例示的な実施例に係るフィードバック応答情報の伝送装置の構造模式図である。
【図１０】図１０は本発明の１つ例示的な実施例に係る端末装置の構造模式図である。
【図１１】図１１は本発明の１つ例示的な実施例に係るアクセスネットワーク装置の構造模式図である。
【発明を実施するための形態】
【００３９】
本発明の目的、技術案及び利点をより明確にするために、以下に図面を参照しながら本発明の実施形態を更に詳しく説明する。
【００４０】
本明細書に言及した「第１」「第２」及びそれに類似する用語は順序、数又は重要性を示すためのものではなく、異なる構成部分を区別するためのものである。同様に、「１つ」又は「一」等の用語は数を制限するためのものではなく、少なくとも１つが存在することを示すためのものである。「接続」又は「連結」等の類似用語は物理的又は機械的な接続に限らず、直接又は間接の電気接続を含んでもよい。
【００４１】
本明細書に言及した「モジュール」は一般的にメモリに記憶されるいくつかの機能を実現できるプログラム又は命令を指し、本明細書に言及した「ユニット」は一般的に論理的に分割された機能構造を指し、該「ユニット」はハードウェアで実現されてもよく、又は、ソフトウェアとハードウェアとの組み合わせで実現されてもよい。
【００４２】
本明細書に言及した「複数」は２つ又は２つ以上を指す。「及び／又は」は関連オブジェクトの関連関係を説明し、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。文字「／」は一般的に前後関連するオブジェクトが「又は」の関係であることを示す。
【００４３】
まず、本発明の実施例に係るいくつかの用語を説明する。
【００４４】
１、ダウンリンク情報
前記ダウンリンク情報は端末装置がアクセスネットワーク装置へ送信したダウンリンク制御情報（ＤＣＩ、Ｄｏｗｎｌｉｎｋ  Ｃｏｎｔｒｏｌ  Ｉｎｆｏｒｍａｔｉｏｎ）及びダウンリンクデータを含む。
【００４５】
２、ダウンリンク制御情報
前記ダウンリンク制御情報は第１情報フィールド及び第２情報フィールドを含み、第１情報フィールドはダウンリンク制御情報に対応するフィードバック応答情報のタイミング関係を示すことに用いられ、第２情報フィールドはダウンリンク割り当てインデックスを示すことに用いられる。
【００４６】
３、ダウンリンク制御情報に対応するフィードバック応答情報のタイミング関係
前記タイミング関係はフィードバック応答情報を伝送する目標伝送ユニットを示すことに用いられる。
【００４７】
１つの可能な実現方式では、ダウンリンク制御情報に対応するフィードバック応答情報のタイミング関係はダウンリンク制御情報のスケジューリングしたダウンリンクデータとダウンリンクデータに対応するフィードバック応答情報との時間間隔を含む。
【００４８】
例えば、目標端末がｎ番目の伝送ユニットにおいてアクセスネットワーク装置から送信されたダウンリンク制御情報のスケジューリングしたダウンリンクデータを受信し、タイミング関係に対応する数値はｋ１である場合、端末装置は目標伝送ユニットがｎ＋ｋ１番目の伝送ユニットであると決定し、すなわち、ｎ＋ｋ１番目の伝送ユニットにおいて該ダウンリンクデータに対応するフィードバック応答情報を伝送する。
【００４９】
また１つの可能な実現方式では、ダウンリンク制御情報に対応するフィードバック応答情報のタイミング関係はダウンリンク制御情報とダウンリンク制御情報に対応するフィードバック応答情報との時間間隔を含む。例えば、目標端末がｎ番目の伝送ユニットにおいてアクセスネットワーク装置から送信されたダウンリンク制御情報を受信し、タイミング関係に対応する数値はｋ２である場合、端末装置は目標伝送ユニットがｎ＋ｋ２番目の伝送ユニットであると決定し、すなわち、ｎ＋ｋ２番目の伝送ユニットにおいて該ダウンリンク制御情報に対応するフィードバック応答情報を伝送する。以下、２番目の可能な実現方式を例として説明する。
【００５０】
４、ダウンリンク割り当てインデックス（ＤＡＩ、Ｄｏｗｎｌｉｎｋ  Ａｓｓｉｇｎｍｅｎｔ  Ｉｎｄｅｘ）
前記ダウンリンク割り当てインデックスは、ダウンリンク制御情報に対応するフィードバック応答情報の目標伝送ユニットにおける位置順序を示すことに用いられる。
【００５１】
例えば、ダウンリンク割り当てインデックスは１ビットであり、ダウンリンク割り当てインデックスが「１」である場合は、該ダウンリンク制御情報に対応するフィードバック応答情報が目標伝送ユニットにおける１番目のフィードバック応答情報であることを示すことに用いられ、ダウンリンク割り当てインデックスが「２」である場合は、該ダウンリンク制御情報に対応するフィードバック応答情報が目標伝送ユニットにおける２番目のフィードバック応答情報であることを示すことに用いられるなどなど。
【００５２】
５、フィードバック応答情報
前記フィードバック応答情報は、端末装置がアクセスネットワーク装置から送信されたダウンリンクデータを受信した後、アクセスネットワーク装置へフィードバックした情報である。フィードバック応答情報は、端末装置がアクセスネットワーク装置から送信されたダウンリンクデータを正しく受信したかどうかを示すことに用いられる。
【００５３】
選択肢として、フィードバック応答情報は肯定応答（ＡＣＫ、Ａｃｋｎｏｗｌｅｄｇｅｍｅｎｔ）及び否定応答（ＮＡＣＫ、Ｎｏｎ−Ａｃｋｎｏｗｌｅｄｇｅｍｅｎｔ）を含む。ＡＣＫは端末装置がアクセスネットワーク装置から送信されたダウンリンクデータを正しく受信したことを示すことに用いられ、ＮＡＣＫは端末装置が、アクセスネットワーク装置から送信されたダウンリンクデータが正しく受信できていないことを示すことに用いられる。
【００５４】
選択肢として、１つのフィードバック応答情報は１ビット（英語：ｂｉｔ）の情報を含む。
【００５５】
本発明の実施例に係る一部の関連用語は３ＧＰＰプロトコルにおける対応する関連説明、例えばＤＣＩ、ＰＤＳＣＨ、ＡＣＫ／ＮＡＣＫ等を参照してもよく、本明細書では詳細な説明は省略する。
【００５６】
図１には本発明の例示的な実施例に係る移動通信システムの構造模式図を示す。移動通信システムはＬＴＥシステムであってもよく、新無線インターフェース（ＮＲ、Ｎｅｗ  Ｒａｄｉｏ）システムとも称される５Ｇシステムであってもよく、本実施例はそれについて制限しない。該移動通信システムはアクセスネットワーク装置１２０及び端末装置１４０を備える。
【００５７】
アクセスネットワーク装置１２０は基地局であってもよく、該基地局は受信された無線フレームとＩＰパケットメッセージとをお互いに変換することに用いられてもよく、更に無線インターフェースの属性管理を調整することができる。例えば、基地局はＬＴＥにおける発展型基地局（ｅＮＢ又はｅ−ＮｏｄｅＢ、ｅｖｏｌｕｔｉｏｎａｌ  Ｎｏｄｅ  Ｂ）であってもよく、又は、５Ｇシステムにおいて集中分散アーキテクチャを用いる基地局であってもよい。アクセスネットワーク装置１２０は集中分散アーキテクチャを用いる場合、一般的に集約基地局（ＣＵ、ｃｅｎｔｒａｌ  ｕｎｉｔ）及び少なくとも２つのリモート局（ＤＵ、ｄｉｓｔｒｉｂｕｔｅｄ  ｕｎｉｔ）を備える。集約基地局にパケットデータコンバージェンスプロトコル（ＰＤＣＰ、Ｐａｃｋｅｔ  Ｄａｔａ  Ｃｏｎｖｅｒｇｅｎｃｅ  Ｐｒｏｔｏｃｏｌ）層、無線リンク制御プロトコル（ＲＬＣ、Ｒａｄｉｏ  Ｌｉｎｋ  Ｃｏｎｔｒｏｌ）層、媒体アクセス制御（ＭＡＣ、Ｍｅｄｉａ  Ａｃｃｅｓｓ  Ｃｏｎｔｒｏｌ）層のプロトコルスタックが設置され、リモート局に物理層（ＰＨＹ、Ｐｈｙｓｉｃａｌ）のプロトコルスタックが設置され、本発明の実施例はアクセスネットワーク装置１２０の具体的な実現方式を制限しない。選択肢として、アクセスネットワーク装置は更にホーム基地局（ＨｅＮＢ、Ｈｏｍｅ  ｅＮＢ）、リレー（Ｒｅｌａｙ）、ピコ基地局Ｐｉｃｏ等を備えてもよい。
【００５８】
アクセスネットワーク装置１２０及び端末装置１４０が無線インターフェースを介して無線接続を確立する。選択肢として、該無線インターフェースは５Ｇ標準に基づく無線インターフェースであり、例えば該無線インターフェースは新無線インターフェース（ＮＲ、Ｎｅｗ  Ｒａｄｉｏ）であり、又は、該無線インターフェースは５Ｇの次世代移動通信ネットワーク技術標準に基づく無線インターフェースであってもよく、又は、該無線インターフェースは４Ｇ標準（ＬＴＥシステム）に基づく無線インターフェースであってもよい。アクセスネットワーク装置１２０は無線接続によって端末装置１４０へダウンリンク制御情報を送信することができる。
【００５９】
端末装置１４０はアクセスネットワーク装置１２０とデータ通信を行う装置を指してもよい。端末装置１４０は無線アクセスネットワーク（ＲＡＮ、Ｒａｄｉｏ  Ａｃｃｅｓｓ  Ｎｅｔｗｏｒｋ）経由で１つ又は複数のコアネットワークと通信することができ、端末装置１４０はモバイル端末装置、例えば携帯電話（「セルラー方式」の電話とも称される）及びモバイル端末装置を有するコンピュータ、例えば、ポータブル、ポケットサイズ、手持ち式、コンピュータが内蔵された又は車載のモバイルデバイスであってもよい。例えば、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、トラバーサー（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末装置（Ｒｅｍｏｔｅ  Ｔｅｒｍｉｎａｌ）、アクセス端末装置（Ａｃｃｅｓｓ  Ｔｅｒｍｉｎａｌ）、ユーザー装置（Ｕｓｅｒ  Ｔｅｒｍｉｎａｌ）、ユーザーエージェント（Ｕｓｅｒ  Ａｇｅｎｔ）、端末装置（Ｕｓｅｒ  Ｄｅｖｉｃｅ）又はユーザー端末装置（ＵＥ、Ｕｓｅｒ  Ｅｑｕｉｐｍｅｎｔ）が挙げられる。選択肢として、端末装置１４０は更にリレー（Ｒｅｌａｙ）装置であってもよく、本実施例はそれを制限しない。端末装置１４０はアクセスネットワーク装置１２０との無線接続によって、アクセスネットワーク装置１２０から送信されたダウンリンク制御情報を受信することができる。
【００６０】
選択肢として、アクセスネットワーク装置１２０が第１情報フィールド及び第２情報フィールドを含むダウンリンク制御情報を端末装置１４０に送信し、端末装置１４０が該ダウンリンク制御情報における第１情報フィールド及び第２情報フィールドに基づき、目標伝送ユニットにおいて伝送されるフィードバック応答情報の第１ビット数を決定し、第１ビット数に基づいて目標伝送ユニットにおいてフィードバック応答情報を伝送する。
【００６１】
説明すべきことは、図１に示される移動通信システムにおいて、複数のアクセスネットワーク装置１２０及び／又は複数の端末装置１４０を備えてもよく、図１では１つのアクセスネットワーク装置１２０及び１つの端末装置１４０の場合を例として示したが、本実施例はそれを制限しない。
【００６２】
図２には本発明の例示的な実施例に係るフィードバック応答情報の伝送方法のフローチャートを示し、該方法は図１に示される実施環境に適用される。該方法は以下のステップを含む。
【００６３】
ステップ２０１では、アクセスネットワーク装置は第１情報フィールド及び第２情報フィールドを含むダウンリンク制御情報を端末装置に送信する。
【００６４】
選択肢として、アクセスネットワーク装置はダウンリンクチャネルを介して端末装置へダウンリンク制御情報を送信する。
【００６５】
ダウンリンクチャネルは物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）であり、又は、拡張された物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）であり、又は、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）であり、又は、５Ｇシステムにおけるダウンリンクチャネルである。以下、ダウンリンクチャネルがＰＤＳＣＨである場合を例として説明する。
【００６６】
選択肢として、ダウンリンク割り当てインデックスは１つのキャリアにおけるダウンリンク割り当てインデックスである。
【００６７】
ステップ２０２では、端末装置はアクセスネットワーク装置から送信されたダウンリンク制御情報を受信する。
【００６８】
選択肢として、端末装置はダウンリンクチャネルにおいてアクセスネットワーク装置から送信されたダウンリンク制御情報を受信する。
【００６９】
ステップ２０３では、端末装置が第１情報フィールド及び第２情報フィールドに基づき、目標伝送ユニットにおいて伝送されるフィードバック応答情報の第１ビット数を決定する。
【００７０】
選択肢として、目標伝送ユニットは端末装置がフィードバック応答情報を送信する必要がある際の対応する伝送ユニットである。模式的に、目標伝送ユニットは単一のキャリアにおける時間ユニットであり、目標伝送ユニットはａ個のシンボル（ｓｙｍｂｏｌ）、ｂ個のシンボルグループ（ｓｙｍｂｏｌ  ｇｒｏｕｐ）、ｃ個のスロット（ｓｌｏｔ）又はｄ個のサブフレーム（ｓｕｂｆｒａｍｅ）であり、ａ、ｂ、ｃ、ｄは正の整数であり、本実施例はそれを制限しない。以下、目標伝送ユニットが１つのスロットである場合を例として説明する。
【００７１】
選択肢として、第１ビット数はまた最大ビット数とも称される。１つの可能な実現方式では、第１ビット数は１つのキャリアに対応するフィードバック応答情報の最大ビット数を含む。
【００７２】
キャリアアグリゲーション（ＣＡ、Ｃａｒｒｉｅｒ  Ａｇｇｒｅｇａｔｉｏｎ）システムにおいて、各キャリアはコンポーネントキャリア（ＣＣ、Ｃｏｍｐｏｎｅｎｔ  Ｃａｒｒｉｅｒ）と称され、キャリアアグリゲーションシステムには少なくとも２つのコンポーネントキャリアが含まれ、従って、また１つの可能な実現方式では、第１ビット数はすべてのコンポーネントキャリアに対応するフィードバック応答情報の最大ビット数を含む。
【００７３】
以下、第１ビット数が１つのキャリアに対応するフィードバック応答情報の最大ビット数である場合を例として説明する。
【００７４】
ステップ２０４では、端末装置が第１ビット数に基づいて目標伝送ユニットにおいてフィードバック応答情報を伝送する。
【００７５】
選択肢として、端末装置はアップリンクチャネルを介してアクセスネットワーク装置へフィードバック応答情報を送信する。
【００７６】
アップリンクチャネルは物理アップリンク制御チャネル（ＰＵＣＣＨ、Ｐｈｙｓｉｃａｌ  Ｕｐｌｉｎｋ  Ｃｏｎｔｒｏｌ  ＣＨａｎｎｅｌ）であり、又は、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）である。
【００７７】
ステップ２０５では、アクセスネットワーク装置は、第１情報フィールド及び第２情報フィールドに基づき、目標伝送ユニットにおいて伝送されるフィードバック応答情報の第１ビット数を決定する。
【００７８】
説明すべきことは、ステップ２０３とステップ２０４はステップ２０５と並列実行されてもよく、アクセスネットワーク装置がフィードバック応答情報の第１ビット数を決定する方式については、目標端末がフィードバック応答情報の第１ビット数を決定する方式を参照してもよく、ここで詳細な説明は省略する。
【００７９】
ステップ２０６では、アクセスネットワーク装置は、第１ビット数に基づき、端末装置が目標伝送ユニットにおいて伝送したフィードバック応答情報を受信する。
【００８０】
選択肢として、アクセスネットワーク装置は決定されたフィードバック応答情報の第１ビット数に基づき、端末装置が目標伝送ユニットにおいて伝送したフィードバック応答情報を受信する。
【００８１】
上記のように、本発明の実施例において、端末装置がアクセスネットワーク装置から送信された、第１情報フィールド及び第２情報フィールドを含むダウンリンク制御情報を受信し、第１情報フィールドはダウンリンク制御情報に対応するフィードバック応答情報のタイミング関係を示すことに用いられ、第２情報フィールドはダウンリンク割り当てインデックスを示すことに用いられ、これにより、端末装置は第１情報フィールド及び第２情報フィールドに基づいて目標伝送ユニットにおいて伝送されるフィードバック応答情報の最大ビット数を決定することができ、それによって、端末装置は最大ビット数に基づき、１つの目標伝送ユニットにおいてアクセスネットワーク装置へ複数のフィードバック応答情報を同時にフィードバックすることができる。
【００８２】
説明すべきことは、上記ダウンリンク制御情報は同じ目標伝送ユニットにおいてフィードバック応答情報を伝送すべき少なくとも２つのダウンリンク制御情報を含む。ダウンリンク制御情報は第１ダウンリンク制御情報及び第２ダウンリンク制御情報を含み、第１ダウンリンク制御情報は第２情報フィールドの対応する数値がプリセット値であるダウンリンク制御情報であり、第２ダウンリンク制御情報は第１ダウンリンク制御情報以外のその他のダウンリンク制御情報である。
【００８３】
例えば、プリセット値は１であり、すなわち、第１ダウンリンク制御情報は第２情報フィールドの対応する数値が１であるダウンリンク制御情報であり、第２情報フィールドの対応する数値が１でないダウンリンク制御情報はいずれも第２ダウンリンク制御情報と称される。以下、ダウンリンク制御情報は同じ目標伝送ユニットにおいてフィードバック応答情報を伝送すべき各ダウンリンク制御情報を含む場合を例として説明する。以下、ダウンリンク制御情報は同じ目標伝送ユニットにおいてフィードバック応答情報を伝送すべき少なくとも２つのダウンリンク制御情報を含む場合を例として説明する。
【００８４】
アクセスネットワーク装置が端末装置へ少なくとも２つのダウンリンク制御情報を送信する場合、少なくとも２つのダウンリンク制御情報は第１ダウンリンク制御情報及び少なくとも１つの第２ダウンリンク制御情報を含み、それに対応して、端末装置がアクセスネットワーク装置から送信された少なくとも２つのダウンリンク制御情報を受信する場合は、端末装置が少なくとも２つのダウンリンク制御情報のいずれも正しく受信し、すなわち、第１ダウンリンク制御情報及び少なくとも１つの第２ダウンリンク制御情報を受信した第１受信状況と、端末装置が少なくとも２つのダウンリンク制御情報のいずれも正しく受信したのではなく、すなわち、第１ダウンリンク制御情報が受信できていないが、少なくとも１つの第２ダウンリンク制御情報を受信した第２受信状況と、を含む。選択肢として、図３に示すように、上記ステップ２０３はステップ３０１〜ステップ３０３に替わってもよい。
【００８５】
ステップ３０１では、端末装置が第１ダウンリンク制御情報を受信したかどうかを判断する。
【００８６】
選択肢として、端末装置は受信したダウンリンク制御情報において第２情報フィールドの対応する数値がプリセット値であるダウンリンク制御情報が存在するかどうかを検索し、存在する場合、端末装置が第１ダウンリンク制御情報を受信したと決定し、ステップ３０２を実行し、存在しない場合は、端末装置が第１ダウンリンク制御情報を受信できていないと決定し、ステップ３０３を実行する。
【００８７】
ステップ３０２では、端末装置は、第１ダウンリンク制御情報を受信した場合、第１ダウンリンク制御情報の第１情報フィールド及び第２情報フィールドに基づき、目標伝送ユニットにおいて伝送されるフィードバック応答情報の第１ビット数を決定する。
【００８８】
端末装置が第１ダウンリンク制御情報の第１情報フィールド及び第２情報フィールドに基づき、目標伝送ユニットにおいて伝送されるフィードバック応答情報の第１ビット数を決定することは、以下の２つの可能な実現方式を含むが、それらに限らない。
【００８９】
第１の可能な実現方式では、Ｎ＝Ｃ＊（Ｋ＋１）又はＮ＝Ｃ＊Ｋという数式で目標伝送ユニットにおいて伝送されるフィードバック応答情報の第１ビット数を計算し、
第１ダウンリンク制御情報は第２情報フィールドの対応する数値がプリセット値であるダウンリンク制御情報であり、Ｃは第１プリセット数値であり、Ｋは第１ダウンリンク制御情報における第１情報フィールドの対応する数値であり、Ｎ、Ｃ及びＫはいずれも正の整数である。
【００９０】
選択肢として、第１プリセット数値は第１定数、又は、アクセスネットワーク装置に予め設定された数値、又は、最大伝送ブロックの数、又は、最大伝送ブロックの数と符号化ブロック群の数との積、又は、コンポーネントキャリアの数を含む。
【００９１】
最大伝送ブロックの数は端末の設定された伝送モードに基づいて決定されたものである。端末が単一コードワード伝送に設定された場合、各ＰＤＳＣＨには多くとも１つの伝送ブロックが含まれ、すなわち、最大伝送数は「１」であり、端末がダブルコードワード伝送に設定された場合、各ＰＤＳＣＨには多くとも２つの伝送ブロックが含まれ、すなわち、最大伝送数は「２」である。
【００９２】
選択肢として、符号化ブロック群の数は１つの伝送ブロックの分割できるブロック群の数である。例えば、１つの伝送ブロックが４つの符号化ブロック群に分割され、すなわち、符号化ブロック群の数は「４」である。
【００９３】
１つの模式的な例では、図４に示すように、端末装置がｎ番目のスロット（ｓｌｏｔ  ｎと略称される）においてダウンリンク制御情報ＤＣＩ１を受信し、ＤＣＩ１における第１情報フィールドの対応する数値ｋ１が「４」であり、第２情報フィールドの対応する数値ＤＡＩ１が「１」であり、端末装置がｎ＋１番目のスロット（ｓｌｏｔ  ｎ＋１と略称される）においてダウンリンク制御情報ＤＣＩ２を受信し、ＤＣＩ２における第１情報フィールドの対応する数値ｋ２が「３」であり、第２情報フィールドの対応する数値ＤＡＩ２が「２」であり、端末装置がｎ＋３番目のスロット（ｓｌｏｔ  ｎ＋３と略称される）においてダウンリンク制御情報ＤＣＩ３を受信し、ＤＣＩ３における第１情報フィールドの対応する数値ｋ３が「１」であり、第２情報フィールドの対応する数値ＤＡＩ２が「３」である。上記目標伝送ユニットの決定方法によれば、この３つのダウンリンク制御情報のそれぞれに対応するフィードバック応答情報はいずれもｎ＋４番目のスロット（ｓｌｏｔ  ｎ＋４と略称される）において伝送される必要がある。且つ、ＤＣＩ１における第２情報フィールドの対応する数値ＤＡＩ１が「１」であるため、ＤＣＩ１は第１ダウンリンク制御情報であり、ＤＣＩ２とＤＣＩ３はいずれも第２ダウンリンク制御情報である。
【００９４】
以下、計算式が「Ｎ＝Ｃ＊Ｋ」である場合を例として説明し、この３つのダウンリンク制御情報に対応するフィードバック応答情報の第１ビット数を計算する方式は以下の２つの可能な計算方式を含むが、それらに限らない。
【００９５】
第１の可能な計算方式では、表１に示すように、Ｃが最大伝送ブロックの数であり、ＫがＤＣＩ１の第１情報フィールドの対応する数値「４」であり、端末装置が単一コードワード伝送に設定され、すなわち、最大伝送ブロックの数が「１」であって、Ｃの値が「１」である場合、計算式「Ｎ＝Ｃ＊Ｋ」によって計算してフィードバック応答情報の第１ビット数Ｎ＝１＊４＝４ｂｉｔを取得し、端末装置がダブルコードワード伝送に設定され、すなわち、最大伝送ブロックの数が「２」であって、Ｃの値が「２」である場合、計算式「Ｎ＝Ｃ＊Ｋ」によって計算してフィードバック応答情報の第１ビット数Ｎ＝２＊４＝８ｂｉｔを取得する。
【表１】
2020530952.tif 000003
【００９６】
第２の可能な計算方式では、表２に示すように、Ｃが最大伝送ブロックの数と符号化ブロック群の数との積であり、符号化ブロック群の数が「４」であり、ＫがＤＣＩ１の第１情報フィールドの対応する数値「４」である。端末装置が単一コードワード伝送に設定され、すなわち、最大伝送ブロックの数が「１」であって、Ｃ＝１＊４＝４の場合、計算式「Ｎ＝Ｃ＊Ｋ」によって計算してフィードバック応答情報の第１ビット数Ｎ＝４＊４＝１６ｂｉｔを取得し、端末装置がダブルコードワード伝送に設定され、すなわち、最大伝送ブロックの数が「２」であって、Ｃ＝２＊４＝８の場合、計算式「Ｎ＝Ｃ＊Ｋ」によって計算してフィードバック応答情報の第１ビット数Ｎ＝８＊４＝３２ｂｉｔを取得する。
【表２】
2020530952.tif 000004
【００９７】
説明すべきことは、第１プリセット数値Ｃが第１定数又はアクセスネットワーク装置に予め設定された数値又はコンポーネントキャリアの数である場合の計算方式は、上記２つの可能な計算方式を参照してもよく、ここで詳細な説明は省略する。
【００９８】
更に説明すべきことは、計算式が「Ｎ＝Ｃ＊（Ｋ＋１）」である場合にこの３つのダウンリンク制御情報に対応するフィードバック応答情報の第１ビット数を計算する方式は、計算式が「Ｎ＝Ｃ＊Ｋ」である場合の計算方式を参照してもよく、ここで詳細な説明は省略する。
【００９９】
また１つの模式的な例では、図５に示すように、端末装置がｎ番目のスロット（ｓｌｏｔ  ｎと略称される）においてダウンリンク制御情報ＤＣＩ１を受信し、ＤＣＩ１における第１情報フィールドの対応する数値ｋ１が「４」であり、第２情報フィールドの対応する数値ＤＡＩ１が「１」であり、端末装置がｎ＋１番目のスロット（ｓｌｏｔ  ｎ＋１と略称される）においてダウンリンク制御情報ＤＣＩ２を受信し、ＤＣＩ２における第１情報フィールドの対応する数値ｋ２が「３」であり、第２情報フィールドの対応する数値ＤＡＩ２が「２」であり、端末装置がｎ＋３番目のスロット（ｓｌｏｔ  ｎ＋３と略称される）においてダウンリンク制御情報ＤＣＩ３を受信し、ＤＣＩ３における第１情報フィールドの対応する数値ｋ３が「１」であり、第２情報フィールドの対応する数値ＤＡＩ２が「３」であり、端末装置がｎ＋４番目のスロット（ｓｌｏｔ  ｎ＋４と略称される）においてダウンリンク制御情報ＤＣＩ４を受信し、ＤＣＩ４における第１情報フィールドの対応する数値ｋ４が「０」であり、第２情報フィールドの対応する数値ＤＡＩ２が「４」である。上記目標伝送ユニットの決定方法によれば、この４つのダウンリンク制御情報のそれぞれに対応するフィードバック応答情報はいずれもｎ＋４番目のスロットにおいて伝送される必要がある。
【０１００】
以下、計算式が「Ｎ＝Ｃ＊（Ｋ＋１）」である場合を例として説明し、この４つのダウンリンク制御情報に対応するフィードバック応答情報の第１ビット数を計算する方式は以下の２つの可能な計算方式を含むが、それらに限らない。
【０１０１】
第１の可能な計算方式では、表３に示すように、Ｃが最大伝送ブロックの数であり、ＫがＤＣＩ１の第１情報フィールドの対応する数値「４」であり、端末装置が単一コードワード伝送に設定され、すなわち、最大伝送ブロックの数が「１」であって、Ｃの値が「１」である場合、計算式「Ｎ＝Ｃ＊（Ｋ＋１）」によって計算してフィードバック応答情報の第１ビット数Ｎ＝１＊（４＋１）＝５ｂｉｔを取得し、端末装置がダブルコードワード伝送に設定され、すなわち、最大伝送ブロックの数が「２」であって、Ｃの値が「２」である場合、計算式「Ｎ＝Ｃ＊（Ｋ＋１）」によって計算してフィードバック応答情報の第１ビット数Ｎ＝２＊（４＋１）＝１０ｂｉｔを取得する。
【表３】
2020530952.tif 000005
【０１０２】
第２の可能な計算方式では、表４に示すように、Ｃが最大伝送ブロックの数と符号化ブロック群の数との積であり、符号化ブロック群の数が「４」であり、ＫがＤＣＩ１の第１情報フィールドの対応する数値「４」である。端末装置が単一コードワード伝送に設定され、すなわち、最大伝送ブロックの数が「１」であって、Ｃ＝１＊４＝４の場合、計算式「Ｎ＝Ｃ＊（Ｋ＋１）」によって計算してフィードバック応答情報の第１ビット数Ｎ＝４＊（４＋１）＝２０ｂｉｔを取得し、端末装置がダブルコードワード伝送に設定され、すなわち、最大伝送ブロックの数が「２」であって、Ｃ＝２＊４＝８の場合、計算式「Ｎ＝Ｃ＊（Ｋ＋１）」によって計算してフィードバック応答情報の第１ビット数Ｎ＝８＊（４＋１）＝４０ｂｉｔを取得する。
【表４】
2020530952.tif 000006
【０１０３】
説明すべきことは、第１プリセット数値Ｃが第１定数又はアクセスネットワーク装置に予め設定された数値又はコンポーネントキャリアの数である場合の計算方式は、上記２つの可能な計算方式を参照してもよく、ここで詳細な説明は省略する。
【０１０４】
更に説明すべきことは、計算式が「Ｎ＝Ｃ＊Ｋ」である場合にこの４つのダウンリンク制御情報に対応するフィードバック応答情報の第１ビット数を計算する方式は、計算式が「Ｎ＝Ｃ＊（Ｋ＋１）」である場合の計算方式を参照してもよく、ここで詳細な説明は省略する。
【０１０５】
第２の可能な実現方式では、端末装置がＮ＝Ｃ＊（Ｋ−Ｔ）という数式で目標伝送ユニットにおいて伝送されるフィードバック応答情報の第１ビット数を計算し、
Ｃ、Ｋ及びＮの関連説明は上記ステップにおける関連説明を参照してもよく、ここで詳細な説明は省略する。Ｔは第２プリセット数値であり、第２プリセット数値はフィードバック応答情報を伝送する最小遅延を示すことに用いられ、Ｔは正の整数であって、ＴはＫより小さい。
【０１０６】
選択肢として、第２プリセット数値は第２定数、又は、通信プロトコルに予め定義された数値、又は、アクセスネットワーク装置に予め設定された数値を含む。
【０１０７】
１つの模式的な例では、図６に示すように、端末装置がｎ番目のスロット（ｓｌｏｔ  ｎと略称される）においてダウンリンク制御情報ＤＣＩ１を受信し、ＤＣＩ１における第１情報フィールドの対応する数値ｋ１が「４」であり、第２情報フィールドの対応する数値ＤＡＩ１が「１」であり、端末装置がｎ＋１番目のスロット（ｓｌｏｔ  ｎ＋１と略称される）においてダウンリンク制御情報ＤＣＩ２を受信し、ＤＣＩ２における第１情報フィールドの対応する数値ｋ２が「３」であり、第２情報フィールドの対応する数値ＤＡＩ２が「２」である。上記目標伝送ユニットの決定方法によれば、この２つのダウンリンク制御情報のそれぞれに対応するフィードバック応答情報はいずれもｎ＋４番目のスロット（ｓｌｏｔ  ｎ＋４と略称される）において伝送される必要がある。Ｔが第１定数「２」である。
【０１０８】
以下、計算式が「Ｎ＝Ｃ＊（Ｋ−Ｔ）」である場合を例として説明し、この２つのダウンリンク制御情報に対応するフィードバック応答情報の第１ビット数を計算する方式は以下のいくつかの可能な計算方式を含むが、それらに限らない。
【０１０９】
第１の可能な計算方式では、表５に示すように、Ｃが最大伝送ブロックの数であり、ＫがＤＣＩ１の第１情報フィールドの対応する数値「４」であり、Ｔの値が「２」であり、端末装置が単一コードワード伝送に設定され、すなわち、最大伝送ブロックの数が「１」であって、Ｃの値が「１」である場合、計算式「Ｎ＝Ｃ＊（Ｋ−Ｔ）」によって計算してフィードバック応答情報の第１ビット数Ｎ＝１＊（４−２）＝２ｂｉｔを取得し、端末装置がダブルコードワード伝送に設定され、すなわち、最大伝送ブロックの数が「２」であって、Ｃの値が「２」である場合、計算式「Ｎ＝Ｃ＊（Ｋ−Ｔ）」によって計算してフィードバック応答情報の第１ビット数Ｎ＝２＊（４−２）＝４ｂｉｔを取得する。
【表５】
2020530952.tif 000007
【０１１０】
第２の可能な計算方式では、表６に示すように、Ｃが最大伝送ブロックの数と符号化ブロック群の数との積であり、符号化ブロック群の数が「４」であり、ＫがＤＣＩ１の第１情報フィールドの対応する数値「４」であり、Ｔの値が「２」であり、端末装置が単一コードワード伝送に設定され、すなわち、最大伝送ブロックの数が「１」であって、Ｃ＝１＊４＝４の場合、計算式「Ｎ＝Ｃ＊（Ｋ−Ｔ）」によって計算してフィードバック応答情報の第１ビット数Ｎ＝４＊（４−２）＝８ｂｉｔを取得し、端末装置がダブルコードワード伝送に設定され、すなわち、最大伝送ブロックの数が「２」であって、Ｃ＝２＊４＝８の場合、計算式「Ｎ＝Ｃ＊（Ｋ−Ｔ）」によって計算してフィードバック応答情報の第１ビット数Ｎ＝８＊（４−２）＝１６ｂｉｔを取得する。
【表６】
2020530952.tif 000008
【０１１１】
説明すべきことは、第１プリセット数値が第１定数又はアクセスネットワーク装置に予め設定された数値又はコンポーネントキャリアの数である場合の計算方式は、上記２つの可能な計算方式を参照してもよく、第２プリセット数値が通信プロトコルに予め定義された数値又はアクセスネットワーク装置に予め設定された数値である場合にも、上記２つの可能な計算方式を参照してもよく、ここで詳細な説明は省略する。
【０１１２】
ステップ３０３では、端末装置は、第１ダウンリンク制御情報が受信できていないが、第２ダウンリンク制御情報を受信した場合、第２ダウンリンク制御情報の第１情報フィールド及び第２情報フィールドに基づき、目標伝送ユニットにおいて伝送されるフィードバック応答情報の第１ビット数を決定する。
【０１１３】
選択肢として、端末装置が第２ダウンリンク制御情報の第１情報フィールド及び第２情報フィールドに基づき、目標伝送ユニットにおいて伝送されるフィードバック応答情報の第１ビット数を決定することは、以下の２つの可能な実現方式を含むが、それらに限らない。
【０１１４】
第１の可能な実現方式では、Ｎ＝Ｃ＊（Ｋ′＋Ｐ）又はＮ＝Ｃ＊（Ｋ′＋Ｐ−１）という数式で目標伝送ユニットにおいて伝送されるフィードバック応答情報の第１ビット数を計算し、
Ｋ′は第２ダウンリンク制御情報における第１情報フィールドの対応する数値であり、Ｐは第２ダウンリンク制御情報における第２情報フィールドの対応する数値であり、Ｋ′とＰはいずれも正の整数である。
【０１１５】
説明すべきことは、ＣとＮの関連説明は上記ステップにおける関連説明を参照してもよく、ここで詳細な説明は省略する。
【０１１６】
１つの模式的な例では、アクセスネットワーク装置がｎ番目のスロット（ｓｌｏｔ  ｎと略称される）において端末装置へダウンリンク制御情報ＤＣＩ１を送信し、ＤＣＩ１における第１情報フィールドの対応する数値ｋ１が「４」であり、第２情報フィールドの対応する数値ＤＡＩ１が「１」であり、アクセスネットワーク装置がｎ＋１番目のスロット（ｓｌｏｔ  ｎ＋１と略称される）において端末装置へダウンリンク制御情報ＤＣＩ２を送信し、ＤＣＩ２における第１情報フィールドの対応する数値ｋ２が「３」であり、第２情報フィールドの対応する数値ＤＡＩ２が「２」であり、アクセスネットワーク装置がｎ＋３番目のスロット（ｓｌｏｔ  ｎ＋３と略称される）において端末装置へダウンリンク制御情報ＤＣＩ３を送信し、ＤＣＩ３における第１情報フィールドの対応する数値ｋ３が「１」であり、第２情報フィールドの対応する数値ＤＡＩ２が「３」である。図７に示すように、端末装置はＤＣＩ１が受信できていないが、ＤＣＩ２とＤＣＩ３を受信し、且つこの３つのダウンリンク制御情報のそれぞれに対応するフィードバック応答情報がいずれもｎ＋４番目のスロット（ｓｌｏｔ  ｎ＋４と略称される）において伝送される必要がある。
【０１１７】
以下、計算式が「Ｎ＝Ｃ＊（Ｋ′＋Ｐ−１）」である場合のみを例として説明し、この３つのダウンリンク制御情報に対応するフィードバック応答情報の第１ビット数を計算する方式は以下のいくつかの可能な計算方式を含むが、それらに限らない。
【０１１８】
第１の可能な計算方式では、表７に示すように、Ｃが最大伝送ブロックの数であり、Ｋ′がＤＣＩ２の第１情報フィールドの対応する数値「３」であり、ＰがＤＣＩ２の第２情報フィールドの対応する数値「２」であり、端末装置が単一コードワード伝送に設定され、すなわち、最大伝送ブロックの数が「１」であって、Ｃの値が「１」である場合、計算式「Ｎ＝Ｃ＊（Ｋ′＋Ｐ−１）」によって計算してフィードバック応答情報の第１ビット数Ｎ＝１＊（３＋２−１）＝４ｂｉｔを取得し、端末装置がダブルコードワード伝送に設定され、すなわち、最大伝送ブロックの数が「２」であって、Ｃの値が「２」である場合、計算式「Ｎ＝Ｃ＊（Ｋ′＋Ｐ−１）」によって計算してフィードバック応答情報の第１ビット数Ｎ＝２＊（３＋２−１）＝８ｂｉｔを取得する。
【表７】
2020530952.tif 000009
【０１１９】
第２の可能な計算方式では、表８に示すように、Ｃが最大伝送ブロックの数と符号化ブロック群の数との積であり、符号化ブロック群の数が「４」であり、Ｋ′がＤＣＩ２の第１情報フィールドの対応する数値「３」であり、ＰがＤＣＩ２の第２情報フィールドの対応する数値「２」であり、端末装置が単一コードワード伝送に設定され、すなわち、最大伝送ブロックの数が「１」であって、Ｃ＝１＊４＝４の場合、計算式「Ｎ＝Ｃ＊（Ｋ′＋Ｐ−１）」によって計算してフィードバック応答情報の第１ビット数Ｎ＝４＊（３＋２−１）＝１６ｂｉｔを取得し、端末装置がダブルコードワード伝送に設定され、すなわち、最大伝送ブロックの数が「２」であって、Ｃ＝２＊４＝８の場合、計算式「Ｎ＝Ｃ＊（Ｋ′＋Ｐ−１）」によって計算してフィードバック応答情報の第１ビット数Ｎ＝８＊（３＋２−１）＝３２ｂｉｔを取得する。
【表８】
2020530952.tif 000010
【０１２０】
説明すべきことは、計算式が「Ｎ＝Ｃ＊（Ｋ′＋Ｐ）」である場合にこの３つのダウンリンク制御情報に対応するフィードバック応答情報の第１ビット数を計算する方式は、計算式が「Ｎ＝Ｃ＊（Ｋ′＋Ｐ−１）」である場合の計算方式を参照してもよく、ここで詳細な説明は省略する。
【０１２１】
第２の可能な実現方式では、Ｎ＝Ｃ＊（Ｋ′＋Ｐ−Ｔ）という数式で目標伝送ユニットにおいて伝送されるフィードバック応答情報の第１ビット数を計算し、
Ｃ、Ｋ′、Ｐ及びＴの関連説明は上記ステップにおける関連説明を参照してもよく、ここで詳細な説明は省略する。
【０１２２】
説明すべきことは、計算式「Ｎ＝Ｃ＊（Ｋ′＋Ｐ−Ｔ）」によってダウンリンク制御情報に対応するフィードバック応答情報の第１ビット数を計算する方式は、上記各計算方式を参照してもよく、ここで詳細な説明は省略する。
【０１２３】
上記のように、本発明の実施例において、更に、端末装置が第１ダウンリンク制御情報を受信したかどうかを判断し、第１ダウンリンク制御情報を受信した場合、第１ダウンリンク制御情報の第１情報フィールド及び第２情報フィールドに基づいて最大ビット数を計算し、第１ダウンリンク制御情報が受信できていないが、第２ダウンリンク制御情報を受信した場合、第２ダウンリンク制御情報の第１情報フィールド及び第２情報フィールドに基づいて最大ビット数を計算し、これにより、端末装置は第１ダウンリンク制御情報を受信できるかどうかにかかわらず、いずれも計算してフィードバック応答情報の最大ビット数を取得することができ、フィードバック応答情報の最大ビット数の決定について様々な可能な計算方式を提供する。
【０１２４】
選択肢として、アクセスネットワーク装置が第１情報フィールド及び第２情報フィールドに基づき、目標伝送ユニットにおいて伝送されるフィードバック応答情報の第１ビット数を決定することは、以下の２つの可能な実現方式を含むが、それらに限らない。
【０１２５】
第１の可能な実現方式では、アクセスネットワーク装置はＮ＝Ｃ＊（Ｋ＋１）又はＮ＝Ｃ＊Ｋという数式で目標伝送ユニットにおいて伝送されるフィードバック応答情報の第１ビット数を計算する。
【０１２６】
第２の可能な実現方式では、アクセスネットワーク装置はＮ＝Ｃ＊（Ｋ−Ｔ）という数式で目標伝送ユニットにおいて伝送されるフィードバック応答情報の第１ビット数を計算する。
【０１２７】
Ｃ、Ｋ及びＴの関連説明は上記ステップにおける関連説明を参照してもよく、ここで詳細な説明は省略する。
【０１２８】
説明すべきことは、アクセスネットワーク装置側のフィードバック応答情報の第１ビット数の計算方式は、端末装置が第１ダウンリンク制御情報を受信した場合の、端末装置側のフィードバック応答情報の第１ビット数の計算方式を参照してもよく、ここで詳細な説明は省略する。
【０１２９】
更に説明すべきことは、アクセスネットワーク装置側のフィードバック応答情報の第１ビット数の第１計算式及び端末装置側のフィードバック応答情報の第１ビット数の第２計算式は予め設定されたものであり、第１計算式は第２計算式と同じ数式であり、又は第２計算式に対応する数式であり、このため、端末装置が第１ダウンリンク制御情報を受信したかどうかにかかわらず、アクセスネットワーク装置が第１計算公式によって計算して取得した第１ビット数は端末装置が第２計算式によって計算して取得した第１ビット数より大きいか又はそれと同じである。
【０１３０】
１つの模式的な例では、アクセスネットワーク装置側に設定された第１計算式が「Ｎ＝Ｃ＊Ｋ」であり、端末装置側に設定された第２計算式は第１ダウンリンク制御情報を受信した場合に対応する計算式「Ｎ＝Ｃ＊Ｋ」と、第１ダウンリンク制御情報が受信できていないが、第２ダウンリンク制御情報を受信した場合に対応する計算式「Ｎ＝Ｃ＊（Ｋ′＋Ｐ−１）」と、を含む。
【０１３１】
図７に示された端末装置がダウンリンク制御情報を受信する状況によれば、端末装置はＤＣＩ１が受信できていないが、ＤＣＩ２とＤＣＩ３のみを受信し、Ｃが最大伝送ブロックの数であり、Ｋの値が「４」であり、Ｋ′の値が「３」であり、Ｐの値が「２」であり、端末装置が単一コードワード伝送に設定され、すなわち、最大伝送ブロックの数が「１」である場合、Ｃの値は「１」である。端末装置が第１ダウンリンク制御情報を受信できていないが、第２ダウンリンク制御情報を受信したため、計算式「Ｎ＝Ｃ＊（Ｋ′＋Ｐ−１）」によって計算してフィードバック応答情報の第１ビット数Ｎ＝１＊（３＋２−１）＝４ｂｉｔを取得する。端末装置は第１ビット数に基づいて目標伝送ユニットにおいて３つのフィードバック応答情報を同時に伝送し、すなわち、目標伝送ユニットにおける１番目のｂｉｔビットにおいてＤＣＩ１に対応するＮＡＣＫを伝送し、目標伝送ユニットにおける２番目のｂｉｔビットにおいてＤＣＩ２に対応するＡＣＫを伝送し、目標伝送ユニットにおける３番目のｂｉｔビットにおいてＤＣＩ３に対応するＡＣＫを伝送する。それに対応して、アクセスネットワーク装置は端末装置へＤＣＩ１、ＤＣＩ２及びＤＣＩ３を送信した後、計算式「Ｎ＝Ｃ＊Ｋ」によって計算してフィードバック応答情報の第１ビット数Ｎ＝１＊４＝４ｂｉｔを取得し、すなわち、アクセスネットワーク装置は第１ビット数「４ｂｉｔ」に基づき、目標伝送ユニットにおける１番目のｂｉｔビットにおいてＤＣＩ１に対応するＮＡＣＫを受信し、目標伝送ユニットにおける２番目のｂｉｔビットにおいてＤＣＩ２に対応するＡＣＫを受信し、目標伝送ユニットにおける３番目のｂｉｔビットにおいてＤＣＩ３に対応するＡＣＫを受信する。
【０１３２】
以下は本発明の実施例の装置実施例であり、装置実施例における未説明の部分は上記方法実施例に開示される技術的詳細を参照してもよい。
【０１３３】
図８には本発明の一実施例に係るフィードバック応答情報の伝送装置の構造模式図を示す。該フィードバック応答情報の伝送装置はソフトウェア、ハードウェア及びそれらの組み合わせで実現されて端末装置の全部又は一部となってもよい。該フィードバック応答情報の伝送装置は受信モジュール８１０、決定モジュール８２０及び伝送モジュール８３０を備える。
【０１３４】
受信モジュール８１０は上記ステップ２０２及び他の明示的又は暗示的に含まれる端末装置の実行する少なくとも１つの受信ステップの機能を実行することに用いられる。
【０１３５】
決定モジュール８２０は上記ステップ２０３、３０１、３０２、３０３及び他の明示的又は暗示的に含まれる端末装置の実行する少なくとも１つの決定ステップの機能を実行することに用いられる。
【０１３６】
伝送モジュール８３０は上記ステップ２０４及び他の明示的又は暗示的に含まれる端末装置の実行する少なくとも１つの伝送ステップの機能を実行することに用いられる。
【０１３７】
図９には本発明の一実施例に係るフィードバック応答情報の伝送装置の構造模式図を示す。該フィードバック応答情報の伝送装置はソフトウェア、ハードウェア及びそれらの組み合わせで実現されてアクセスネットワーク装置の全部又は一部となってもよい。該フィードバック応答情報の伝送装置は送信モジュール９１０、決定モジュール９２０及び受信モジュール９３０を備える。
【０１３８】
送信モジュール９１０は上記ステップ２０１及び他の明示的又は暗示的に含まれるアクセスネットワーク装置の実行する少なくとも１つの送信ステップの機能を実行することに用いられる。
【０１３９】
決定モジュール９２０は上記ステップ２０５及び他の明示的又は暗示的に含まれるアクセスネットワーク装置の実行する少なくとも１つの決定ステップの機能を実行することに用いられる。
【０１４０】
受信モジュール９３０は上記ステップ２０６及び他の明示的又は暗示的に含まれるアクセスネットワーク装置の実行する少なくとも１つの受信ステップの機能を実行することに用いられる。
【０１４１】
図１０には本発明の一例示的な実施例に係る端末装置の構造模式図を示し、該端末装置は図１に示される移動通信システムにおける端末装置１４０であってもよい。本実施例は端末装置１４０がＬＴＥシステム又は５ＧシステムにおけるＵＥである場合を例として説明し、該端末装置はプロセッサ２１、受信機２２、送信機２３、メモリ２４及びバス２５を備える。
【０１４２】
プロセッサ２１は１つ又は１つ以上の処理コアを備え、プロセッサ２１はソフトウェアプログラム及びモジュールを実行することにより、様々な機能アプリケーション及び情報処理を実行する。
【０１４３】
受信機２２及び送信機２３は１つの通信コンポーネントとして実現されてもよく、該通信コンポーネントは１つの通信チップであってもよく、該通信チップには情報を変調及び／又は復調して、無線信号によって該情報を受信又は送信するための受信モジュール、送信モジュール及びモデムモジュール等が含まれてもよい。
【０１４４】
メモリ２４はバス２５によってプロセッサ２１に接続される。
【０１４５】
メモリ２４はソフトウェアプログラム及びモジュールを記憶することに用いられてもよい。
【０１４６】
メモリ２４に少なくとも１つの機能のアプリケーションプログラムモジュール２６が記憶されてもよく、アプリケーションプログラムモジュール２６は受信モジュール２６１、決定モジュール２６２及び伝送モジュール２６３を備えてもよい。
【０１４７】
受信モジュール２６１はアクセスネットワーク装置から送信された、第１情報フィールド及び第２情報フィールドを含むダウンリンク制御情報を受信することに用いられ、第１情報フィールドはダウンリンク制御情報に対応するフィードバック応答情報のタイミング関係を示すことに用いられ、第２情報フィールドはダウンリンク割り当てインデックスを示すことに用いられ、
決定モジュール２６２は第１情報フィールド及び第２情報フィールドに基づき、目標伝送ユニットにおいて伝送されるフィードバック応答情報の第１ビット数を決定することに用いられ、
伝送モジュール２６３は第１ビット数に基づいて目標伝送ユニットにおいてフィードバック応答情報を伝送することに用いられる。
【０１４８】
受信機２２は、受信モジュール２６１を実行して上記各方法実施例における受信ステップについての機能を実現することに用いられ、プロセッサ２１は、決定モジュール２６２を実行して上記各方法実施例における決定ステップについての機能を実現することに用いられ、送信機２３は、伝送モジュール２６３を実行して上記各方法実施例における送信ステップについての機能を実現することに用いられる。
【０１４９】
なお、メモリ２４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク、又はそれらの組み合わせで実現されてもよい。
【０１５０】
図１１には本発明の一例示的な実施例に係るアクセスネットワーク装置の構造模式図を示し、該アクセスネットワーク装置は図１に示される実施環境におけるアクセスネットワーク装置１２０であってもよい。本実施例はアクセスネットワーク装置１２０がＬＴＥシステムにおけるｅＮＢ、又は、５ＧシステムにおけるｇＮＢである場合を例として説明し、該アクセスネットワーク装置はプロセッサ３１、受信機３２、送信機３３、メモリ３４及びバス３５を備える。
【０１５１】
プロセッサ３１は１つ又は１つ以上の処理コアを備え、プロセッサ３１はソフトウェアプログラム及びモジュールを実行することにより、様々な機能アプリケーション及び情報処理を実行する。
【０１５２】
受信機３２及び送信機３３は１つの通信コンポーネントとして実現されてもよく、該通信コンポーネントは１つの通信チップであってもよく、該通信チップには情報を変調・復調して、無線信号によって該情報を受信又は送信するための受信モジュール、送信モジュール及びモデムモジュール等が含まれてもよい。
【０１５３】
メモリ３４はバス３５によってプロセッサ３１に接続される。
【０１５４】
メモリ３４はソフトウェアプログラム及びモジュールを記憶することに用いられてもよい。
【０１５５】
メモリ３４に少なくとも１つの機能のアプリケーションプログラムモジュール３６が記憶されてもよく、アプリケーションプログラムモジュール３６は送信モジュール３６１、決定モジュール３６２及び受信モジュール３６３を備えてもよい。
【０１５６】
送信モジュール３６１は第１情報フィールド及び第２情報フィールドを含むダウンリンク制御情報を端末装置に送信することに用いられ、第１情報フィールドはダウンリンク制御情報に対応するフィードバック応答情報のタイミング関係を示すことに用いられ、第２情報フィールドはダウンリンク割り当てインデックスを示すことに用いられ、
決定モジュール３６２は第１情報フィールド及び第２情報フィールドに基づき、目標伝送ユニットにおいて伝送されるフィードバック応答情報の第１ビット数を決定することに用いられ、
受信モジュール３６３は第１ビット数に基づいて端末装置が目標伝送ユニットにおいて伝送したフィードバック応答情報を受信することに用いられる。
【０１５７】
送信機３３は、送信モジュール３６１を実行して上記各方法実施例における送信ステップについての機能を実現することに用いられ、プロセッサ３１は、決定モジュール３６２を実行して上記各方法実施例における決定ステップについての機能を実現することに用いられ、受信機３２は、受信モジュール３６３を実行して上記各方法実施例における受信ステップについての機能を実現することに用いられる。
【０１５８】
なお、メモリ３４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク、又はそれらの組み合わせで実現されてもよい。
【０１５９】
本発明の実施例は更にフィードバック応答情報の伝送システムを提供し、該フィードバック応答情報の伝送システムは端末装置及びアクセスネットワーク装置を備える。
【０１６０】
端末装置が上記図８に係るフィードバック応答情報の伝送装置を含み、アクセスネットワーク装置が上記図９に係るフィードバック応答情報の伝送装置を含み、
又は、
端末装置が上記図１０に係る端末装置を含み、アクセスネットワーク装置が上記図１１に係るアクセスネットワーク装置を含む。
【０１６１】
当業者であれば、上記１つ又は複数の例では、本発明の実施例に説明される機能はハードウェア、ソフトウェア、ファームウェア又はそれらの任意の組み合わせで実現されてもよいと理解できる。ソフトウェアで実現される場合、これらの機能をコンピュータ可読媒体に記憶し又はコンピュータ可読媒体における１つ又は複数の命令又はコードとして伝送してもよい。コンピュータ可読媒体はコンピュータ記憶媒体及び通信媒体を含み、通信媒体は一箇所から++98他の箇所へコンピュータプログラムを伝送する任意の媒体を含む。記憶媒体は汎用又は専用コンピュータのアクセスできる任意の利用可能媒体であってもよい。
【０１６２】
以上の説明は本発明の好適な実施例に過ぎず、本発明を制限するためのものではなく、本発明の趣旨及び原則内に行ったいかなる修正、等価置換、改良等は、いずれも本発明の保護範囲内に含まれるべきである。
【図１】
2020530952.tif 000011
【図２】
2020530952.tif 000012
【図３】
2020530952.tif 000013
【図４】
2020530952.tif 000014
【図５】
2020530952.tif 000015
【図６】
2020530952.tif 000016
【図７】
2020530952.tif 000017
【図８】
2020530952.tif 000018
【図９】
2020530952.tif 000019
【図１０】
2020530952.tif 000020
【図１１】
2020530952.tif 000021
【手続補正書】
【提出日】令和2年6月19日(2020.6.19)
【手続補正１】
【補正対象書類名】明細書
【補正対象項目名】００３３
【補正方法】変更
【補正の内容】
【００３３】
本発明の実施例の第９態様によれば、フィードバック応答情報の伝送システムを提供し、前記フィードバック応答情報の伝送システムは端末装置及びアクセスネットワーク装置を備え、前記端末装置は上記第３態様又は第３態様におけるいずれか１つの選択可能な実現方式に係るフィードバック応答情報の伝送装置を含み、前記アクセスネットワーク装置は上記第４態様又は第４態様におけるいずれか１つの可能な実現方式に係るフィードバック応答情報の伝送装置を含む。
【手続補正２】
【補正対象書類名】明細書
【補正対象項目名】００９１
【補正方法】変更
【補正の内容】
【００９１】
最大伝送ブロックの数は端末の設定された伝送モードに基づいて決定されたものである。端末が単一コードワード伝送に設定された場合、各ＰＤＳＣＨには多くとも１つの伝送ブロックが含まれ、すなわち、最大伝送ブロックの数は「１」であり、端末がダブルコードワード伝送に設定された場合、各ＰＤＳＣＨには多くとも２つの伝送ブロックが含まれ、すなわち、最大伝送ブロックの数は「２」である。
【手続補正３】
【補正対象書類名】特許請求の範囲
【補正対象項目名】全文
【補正方法】変更
【補正の内容】
【特許請求の範囲】
【請求項１】
フィードバック応答情報の伝送方法であって、
端末装置がアクセスネットワーク装置から送信された、第１情報フィールド及び第２情報フィールドを含むダウンリンク制御情報を受信し、前記第１情報フィールドは前記ダウンリンク制御情報に対応するフィードバック応答情報のタイミング関係を示すことに用いられ、前記第２情報フィールドはダウンリンク割り当てインデックスを示すことに用いられることと、
前記端末装置が前記第１情報フィールド及び前記第２情報フィールドに基づき、目標伝送ユニットにおいて伝送されるフィードバック応答情報の第１ビット数を決定することと、
前記端末装置が前記第１ビット数に基づいて前記目標伝送ユニットにおいて前記フィードバック応答情報を伝送することと、を含むことを特徴とするフィードバック応答情報の伝送方法。
【請求項２】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項１に記載の方法。
【請求項３】
前記第１ビット数が最大ビット数であることは、
１つのキャリアに対応するフィードバック応答情報の最大ビット数、又は、
すべてのコンポーネントキャリアに対応するフィードバック応答情報の最大ビット数を含むことを特徴とする請求項１に記載の方法。
【請求項４】
前記端末装置が前記第１情報フィールド及び前記第２情報フィールドに基づき、目標伝送ユニットにおいて伝送されるフィードバック応答情報の第１ビット数を決定することは、
前記端末装置が第１ダウンリンク制御情報を受信した場合、Ｎ＝Ｃ＊（Ｋ＋１）又はＮ＝Ｃ＊Ｋという数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であること、
或いは、
前記端末装置が、第１ダウンリンク制御情報を受信した場合、Ｎ＝Ｃ＊（Ｋ−Ｔ）という数式で前記目標伝送ユニットにおいて伝送される前記フィードバック応答情報の第１ビット数を計算し、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さいこと、
或いは、
前記端末装置が、第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定し、
前記第１ダウンリンク制御情報は、前記第２情報フィールドの対応する数値がプリセット値であるダウンリンク制御情報であり、前記第２ダウンリンク制御情報は前記第１ダウンリンク制御情報以外のその他のダウンリンク制御情報であることを含むことを特徴とする請求項１〜３のいずれか１項に記載の方法。
【請求項５】
前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することは、
前記端末装置が前記第１ダウンリンク制御情報を受信できていないが、前記第２ダウンリンク制御情報を受信した場合、Ｎ＝Ｃ＊（Ｋ′＋Ｐ）又はＮ＝Ｃ＊（Ｋ′＋Ｐ−１）という数式で前記目標伝送ユニットにおいて伝送される前記フィードバック応答情報の第１ビット数を計算し、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、Ｃ、Ｋ′及びＰはいずれも正の整数であることを含み、
或いは、
前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することは、
前記端末装置が前記第１ダウンリンク制御情報を受信できていないが、前記第２ダウンリンク制御情報を受信した場合、Ｎ＝Ｃ＊（Ｋ′＋Ｐ−Ｔ）という数式で前記目標伝送ユニットにおいて伝送される前記フィードバック応答情報の第１ビット数を計算し、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、前記Ｔは第２プリセット数値であり、Ｃ、Ｋ′、Ｐ及びＴはいずれも正の整数であることを含むことを特徴とする請求項４に記載の方法。
【請求項６】
端末装置が前記アクセスネットワーク装置から第１ダウンリンク制御情報を受信した場合、第１ダウンリンク制御情報の第１情報フィールド及び第２情報フィールドに基づき、目標伝送ユニットにおいて伝送されるフィードバック応答情報の第１ビット数を決定し、前記第１ダウンリンク制御情報は、前記第２情報フィールドの対応する数値が１であるダウンリンク制御情報であることを特徴とする請求項１〜５のいずれか１項に記載の方法。
【請求項７】
フィードバック応答情報の伝送装置であって、
アクセスネットワーク装置から送信された、第１情報フィールド及び第２情報フィールドを含むダウンリンク制御情報を受信することに用いられ、前記第１情報フィールドは前記ダウンリンク制御情報に対応するフィードバック応答情報のタイミング関係を示すことに用いられ、前記第２情報フィールドはダウンリンク割り当てインデックスを示すことに用いられる受信モジュールと、
前記第１情報フィールド及び前記第２情報フィールドに基づき、目標伝送ユニットにおいて伝送されるフィードバック応答情報の第１ビット数を決定するための決定モジュールと、
前記第１ビット数に基づいて前記目標伝送ユニットにおいて前記フィードバック応答情報を伝送するための伝送モジュールと、を備えることを特徴とするフィードバック応答情報の伝送装置。
【請求項８】
前記ダウンリンク制御情報に対応するフィードバック応答情報のタイミング関係は、
前記ダウンリンク制御情報のスケジューリングしたダウンリンクデータと前記ダウンリンクデータに対応するフィードバック応答情報との時間間隔、又は、
前記ダウンリンク制御情報と前記ダウンリンク制御情報に対応するフィードバック応答情報との時間間隔を含むことを特徴とする請求項７に記載の装置。
【請求項９】
前記第１ビット数が最大ビット数であることは、
１つのキャリアに対応するフィードバック応答情報の最大ビット数、又は、
すべてのコンポーネントキャリアに対応するフィードバック応答情報の最大ビット数を含むことを特徴とする請求項７に記載の装置。
【請求項１０】
前記決定モジュールは、更に、端末装置が第１ダウンリンク制御情報を受信した場合、Ｎ＝Ｃ＊（Ｋ＋１）又はＮ＝Ｃ＊Ｋという数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、ＣとＫはいずれも正の整数であり、
或いは、
前記決定モジュールは、更に、前記端末装置が第１ダウンリンク制御情報を受信した場合、Ｎ＝Ｃ＊（Ｋ−Ｔ）という数式で前記目標伝送ユニットにおいて伝送される前記フィードバック応答情報の第１ビット数を計算することに用いられ、
前記第１ダウンリンク制御情報は、前記第２情報フィールドの対応する数値がプリセット値であるダウンリンク制御情報であり、前記Ｃは第１プリセット数値であり、前記Ｋは前記第１ダウンリンク制御情報における前記第１情報フィールドの対応する数値であり、前記Ｔは第２プリセット数値であり、Ｃ、Ｔ及びＫはいずれも正の整数であって、ＴはＫより小さい、
或いは、
前記決定モジュールは、更に、前記端末装置が第１ダウンリンク制御情報を受信できていないが、第２ダウンリンク制御情報を受信した場合、前記第２ダウンリンク制御情報の前記第１情報フィールド及び前記第２情報フィールドに基づき、前記目標伝送ユニットにおいて伝送される前記フィードバック応答情報の第１ビット数を決定することに用いられ、
前記第１ダウンリンク制御情報は、前記第２情報フィールドの対応する数値がプリセット値であるダウンリンク制御情報であり、前記第２ダウンリンク制御情報は前記第１ダウンリンク制御情報以外のその他のダウンリンク制御情報であることを特徴とする請求項７〜９のいずれか１項に記載の装置。
【請求項１１】
前記決定モジュールは、更に、前記端末装置が前記第１ダウンリンク制御情報を受信できていないが、前記第２ダウンリンク制御情報を受信した場合、Ｎ＝Ｃ＊（Ｋ′＋Ｐ）又はＮ＝Ｃ＊（Ｋ′＋Ｐ−１）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、Ｃ、Ｋ′及びＰはいずれも正の整数であり、
前記決定モジュールは、更に、前記端末装置が前記第１ダウンリンク制御情報を受信できていないが、前記第２ダウンリンク制御情報を受信した場合、Ｎ＝Ｃ＊（Ｋ′＋Ｐ−Ｔ）という数式で前記目標伝送ユニットにおいて伝送される前記フィードバック応答情報の第１ビット数を計算することに用いられ、
前記Ｃは第１プリセット数値であり、前記Ｋ′は前記第２ダウンリンク制御情報における前記第１情報フィールドの対応する数値であり、前記Ｐは前記第２ダウンリンク制御情報における前記第２情報フィールドの対応する数値であり、前記Ｔは第２プリセット数値であり、Ｃ、Ｋ′、Ｐ及びＴはいずれも正の整数であることを特徴とする請求項１０に記載の装置。
【請求項１２】
前記受信モジュールが前記アクセスネットワーク装置から送信した第１ダウンリンク制御情報を受信した場合、前記決定モジュールは第１ダウンリンク制御情報の第１情報フィールド及び第２情報フィールドに基づき、目標伝送ユニットにおいて伝送されるフィードバック応答情報の第１ビット数を決定し、前記第１ダウンリンク制御情報は前記第２情報フィールドの対応する数値が１であるダウンリンク制御情報であることを特徴とする請求項１０又は１１に記載の装置。
【請求項１３】
前記第２プリセット数値は前記フィードバック応答情報を伝送する最小遅延を示すことに用いられることを特徴とする請求項１０又は１１に記載の装置。
【請求項１４】
前記第１プリセット数値は、
第１定数、又は、
前記アクセスネットワーク装置に予め設定された数値、又は、
最大伝送ブロックの数、又は、
最大伝送ブロックの数と符号化ブロック群の数との積、又は、
コンポーネントキャリアの数を含むことを特徴とする請求項１０又は１１に記載の装置。
【請求項１５】
前記第２プリセット数値は、
第２定数、又は
通信プロトコルに予め定義された数値、又は、
前記アクセスネットワーク装置に予め設定された数値を含むことを特徴とする請求項１０又は１１又は１３に記載の装置。
【国際調査報告】
2020530952.tif 000022
2020530952.tif 000023
2020530952.tif 000024
2020530952.tif 000025
2020530952.tif 000026